(57)【要約】時間ｔｉにおける音声振幅率（ＡｍｐＲａｔｔｉ）を所定時間Δｔに亘って測定された音声の臨界振幅率値（ＡｍｐＲＱＶΔｔ）以下に下げるように構成された音声減衰モジュール（ＳＡＭ）を備える騒音減衰新生児保育器（ＮＡＮＩ）が提供される。ＳＡＭは、受動的騒音減衰器、能動的騒音減衰器またはその両方を備える。新生児保育器を音声減衰するための方法であって、（ａ）ＡｍｐＲａｔｔｉをＡｍｐＲＱＶΔｔ以下に低減するように構成された音声減衰モジュール（ＳＡＭ）を備える、騒音減衰新生児保育器（ＮＡＮＩ）を獲得することと、（ｂ）該新生児を該ＮＡＮＩ内に収容することと、（ｃ）該少なくとも１のＳＡＭにより該騒音を減衰し、それによって音声署名を変更することとを特徴とする方法が提供される。【選択図】図４ｃ
2016534835.tif 000002
【特許請求の範囲】
【請求項１】
時間ｔｉにおける音声振幅率（ＡｍｐＲａｔｔｉ）を所定時間Δｔに亘って測定された前記音声の臨界振幅率値（ＡｍｐＲＱＶΔｔ）以下に下げるように構成された音声減衰モジュール（ＳＡＭ）を備える騒音減衰新生児保育器（ＮＡＮＩ）であって、前記音声減衰モジュール（ＳＡＭ）は、
ａ．前記保育器内で時間ｔｉにおける前記音声振幅率（ＡｍｐＲａｔｔｉ）を連続的にサンプリングするように構成された、前記ＣＲＭと連通する少なくとも１つの音声センサと、
ｂ．所定時間Δｔに亘って測定された前記音声の前記臨界振幅率値（ＡｍｐＲＱＶΔｔ）および時間ｔｉにおける前記音声振幅率（ＡｍｐＲａｔｔｉ）を記憶するための少なくとも１つのＣＲＭと、
ｃ．ＡｍｐＲａｔｔｉ＜ＡｍｐＲａｔＱＶΔｔであるように、ＡｍｐＲａｔｔｉ＞ＡｍｐＲＱＶΔｔである場合、時間ｔｉにおける前記音声振幅率（ＡｍｐＲａｔｔｉ）を下げるために前記ＣＲＭと連通する少なくとも１つの音声減衰器とを備え、
所定時間Δｔに亘って測定された前記音声の前記臨界振幅率値ＡｍｐＲａｔＱＶΔｔ＜約１７８．８Δｔである、騒音減衰新生児保育器（ＮＡＮＩ）。
【請求項２】
前記センサは、少なくとも１つのインジケータ、少なくとも１つのユーザインターフェース、少なくとも１つの警報システム、少なくとも１つのＣＰＵ、およびそれらのあらゆる組合せからなる群から選択されたものとさらに連通する、請求項１に記載のＮＡＮＩ。
【請求項３】
前記ＣＲＭは、少なくとも１つのセンサの手段によって受信されたパラメータ、ユーザインターフェースを通して入力されたパラメータ、新生児医療デバイスから受信されたパラメータ、およびそれらのあらゆる組合せからなる群から選択されたパラメータに従って前記音声減衰器を制御するように構成される、請求項１に記載のＮＡＮＩ。
【請求項４】
前記音声減衰器は、少なくとも１つの音響音声スピーカにより、少なくとも１つの音響音声信号を発するように構成された、能動的音声マスキングシステムを備える、請求項１に記載のＮＡＮＩ。
【請求項５】
前記少なくとも１つの音響音声信号は、ホワイト騒音、ピンク騒音、グレー騒音、ブラウン騒音、ブルー騒音、バイオレット騒音、およびそれらのあらゆる組合せからなる群から選択される、請求項４に記載のＮＡＮＩ。
【請求項６】
前記音声減衰器は、少なくとも１つの変換器、少なくとも１つのスピーカ、およびそれらのあらゆる組合せからなる群から選択されたデバイスによって発生された相殺干渉により前記騒音を削除するまたは低減するように構成された、反応音響デバイスを備える、請求項１に記載のＮＡＮＩ。
【請求項７】
前記ＳＡＭは、背景騒音から少なくとも１つの既定の音声を区別し、前記背景騒音、前記少なくとも１つの既定の騒音、およびそれらのあらゆる組合せからなる群から選択された騒音を減衰するように構成される、請求項１に記載のＮＡＮＩ。
【請求項８】
前記ＣＲＭは、音声レベル、音調、倍音成分、残響、音声周波数、音声波長、音波振幅、音波速度、音波方向、音波エネルギー、音波位相、音波形状、音波エンベロープ、音声音色、およびそれらのあらゆる組合せからなる群から選択された少なくとも１つの音声特徴を記憶するように構成される、請求項１に記載のＮＡＮＩ。
【請求項９】
時間ｔｉにおける前記音声振幅率（ＡｍｐＲａｔｔｉ）を所定時間Δｔに亘って測定された前記音声の臨界振幅率値（ＡｍｐＲＱＶΔｔ）以下に下げるように構成された音声減衰モジュール（ＳＡＭ）を備える、騒音減衰新生児保育器（ＮＡＮＩ）。
【請求項１０】
前記ＳＡＭは既定の音声特徴における前記騒音を減衰するように構成される、請求項１に記載のＮＡＮＩ。
【請求項１１】
前記ＳＡＭは、前記音声レベルを低減する、音声反射を低減する、音声残響を低減する、音声拡散を生成する、音声をマスキングする、音声を削除する、前記音声署名を変更する、およびそれらのあらゆる組合せからなる群から選択されたものにより前記騒音を低減するように構成される、請求項１に記載のＮＡＮＩ。
【請求項１２】
前記ＳＡＭは、音声レベル、音調、倍音成分、残響、音声周波数、音声波長、音波振幅、音波速度、音波方向、音波エネルギー、音波位相、音波形状、音波エンベロープ、音声音色、およびそれらのあらゆる組合せからなる群から選択された少なくとも１つの音声特徴を変更するように構成され、それによって異なる音声署名を発生する、請求項１に記載のＮＡＮＩ。
【請求項１３】
前記音声署名は、前記ユーザによって構成可能である、既定される、前記新生児の生命パラメータを基準に自動的に調節可能である、およびそれらのあらゆる組合せからなる群から選択される、請求項１２に記載のＮＡＮＩ。
【請求項１４】
前記ＳＡＭは、能動的音声減衰手段、受動的音声減衰手段、ハイブリッド音声減衰手段、およびそれらのあらゆる組合せからなる群から選択された少なくとも１つの手段を備える、請求項１に記載のＮＡＮＩ。
【請求項１５】
前記少なくとも１つの受動的音声減衰手段は、少なくとも１つの音声吸収材料、少なくとも１つの共鳴器、少なくとも１つの音声遮蔽板、少なくとも１つのベーストラップ、少なくとも１つの音声反射板、少なくとも１つの拡散器、少なくとも１つの絶縁パッド、少なくとも１つの音声反射器、少なくとも１つの音声抑制器（ＳＭ）、およびそれらのあらゆる組合せからなる群から選択される、請求項１４に記載のＮＡＮＩ。
【請求項１６】
前記ＳＡＭは、少なくとも１つの長さ（ｌ）および少なくとも１つの幅（ｗ）を有する、少なくとも１つのシリンダ導管を備える少なくとも１つの音声抑制器（ＳＭ）を備え、前記シリンダは少なくとも１つの空気入口および少なくとも１つの空気出口を備え、さらに前記ＳＭは、少なくとも１つの空気出口から出る音声が少なくとも１つの空気入口に入る音声と異なる音声署名からなるように構成される、請求項１５に記載のＮＡＮＩ。
【請求項１７】
前記ＳＭは、その間に結合された少なくとも第１のシリンダおよび少なくとも第２のシリンダを備え、前記結合部はその間に流体連通できるように構成された少なくとも１つの開口を備える、請求項１６に記載のＮＡＮＩ。
【請求項１８】
前記少なくとも１つのシリンダの幅（ｗ）は、幅（ｗ）が前記長さ（ｌ）に沿って等しい、前記長さ（ｌ）に沿って異なる、またはそれらのあらゆる組合せからなる群から選択される、請求項１６に記載のＮＡＮＩ。
【請求項１９】
前記ＳＭは、（ｌ）１＝（ｌ）ｎ、（ｌ）１＞（ｌ）ｎ、（ｌ）１＜（ｌ）ｎ、（ｌ）１≠（ｌ）ｎ、（ｗ）１＝（ｗ）ｎ、（ｗ）１＞（ｗ）ｎ、（ｗ）１＜（ｗ）ｎ、（ｗ）１≠（ｗ）ｎ、およびそれらのあらゆる組合せからなる群から選択された、前記それぞれのシリンダの前記長さ（ｌ）１〜…ｎおよび前記幅（ｗ）１〜…ｎを有する複数のｎ個のシリンダを備える、請求項１６に記載のＮＡＮＩ。
【請求項２０】
前記ＳＡＭは、前記ＮＡＮＩ内で前記新生児の配置を隔離するように構成された少なくとも１つの絶縁パッドを備え、さらに前記絶縁体は前記ＮＡＮＩ内にアクセスできるように構成された少なくとも１つの開口を備える、請求項１に記載のＮＡＮＩ。
【請求項２１】
前記絶縁体の少なくとも一部は、断熱材料、封止材料、発泡材料、難燃材料、少なくとも一部が透明な材料およびそれらのあらゆる組合せからなる群から選択された材料を備える、請求項２０に記載のＮＡＮＩ。
【請求項２２】
前記ＳＡＭは、少なくとも１つの絶縁材料、少なくとも１つの封止材料、少なくとも１つの音声吸収材料、少なくとも１つの振動吸収材料、およびそれらのあらゆる組合せからなる群から選択された材料の少なくとも一部を備える、少なくとも１つの音声遮蔽板を備える、請求項１に記載のＮＡＮＩ。
【請求項２３】
前記ＳＡＭは前記保育器に可逆的に取付け可能なモジュラー要素である、請求項１に記載のＮＡＮＩ。
【請求項２４】
前記ＳＡＭは、少なくとも１つの吸収面、少なくとも１つの音声拡散器、少なくとも１つの音声反射板、少なくとも１つの反射面、少なくとも１つの共鳴器、少なくとも１つの音声遮蔽板、新生児から離れた方向に向けられた場所、およびそれらのあらゆる組合せからなる群から選択されたものに前記騒音を方向付けるように構成された、少なくとも１つの音声反射器を備える、請求項１に記載のＮＡＮＩ。
【請求項２５】
前記ＳＡＭの少なくとも一部はｎ個の層を備え、さらに前記ｎ個の層は、それぞれ前記新生児に面した内側および前記新生児から外方を向いた反対側の外側を備える、請求項１に記載のＮＡＮＩ。
【請求項２６】
前記ｎ個の層は、それぞれ既定の騒音低減係数（ＮＲＣ）値、音響透過クラス（ＳＴＣ）値、またはその両方を含み、さらに前記ＮＲＣ値、ＳＴＣ値、またはその両方は前記ｎ個の層の１つのそれぞれに対して等しいかまたは異なることが可能である、請求項２５に記載のＮＡＮＩ。
【請求項２７】
前記ｎ個の層の少なくとも２つは、前記ｎ個の層のそれぞれに対して騒音低減係数（ＮＲＣ）値を含み、それぞれの前記層は、前記層の外側で測定された少なくとも１つの音声レベルＳ（ｄＢ）、およびｄＳ１〜…ｄＳｎを有する前記層の内側で測定された少なくとも１つの第１の音声レベルＳ１（ｄＢ）を含み、前記ＳＡＭのｄＳはＳ１−Ｓｎと等しく、Ｓ１−Ｓｎ＜Ｓ１である、請求項２５に記載のＮＡＮＩ。
【請求項２８】
前記ｎ個の層の少なくとも２つは、前記ｎ個の層のそれぞれに対して音響透過クラス（ＳＴＣ）値を含み、それぞれの前記層は、前記層の外側で測定された少なくとも１つの音声レベルＳ（ｄＢ）、およびｄＳ１〜…ｄＳｎを有する前記層の内側で測定された少なくとも１つの第１の音声レベルＳ１（ｄＢ）を含み、前記ＳＡＭのｄＳはＳ１−Ｓｎと等しく、Ｓ１−Ｓｎ＜Ｓ１である、請求項２５に記載のＮＡＮＩ。
【請求項２９】
前記ＳＡＭは、
ａ．前記ｎ個の層の少なくとも１つから前記保育器までの空間Ｓ１、前記ｎ個の層のそれぞれの間の空間Ｓｎ、またはその両方と、
ｂ．前記層１〜ｎに対して測定されたＳＴＣ１（音響透過クラス）値と、
ｃ．前記ｎ個の層の少なくとも１つから前記保育器までの空間Ｓ１ａ、前記ｎ個の層のそれぞれの間の空間Ｓｎａ、またはその両方、および前記層１〜ｎに対して測定されたＳＴＣ２値を有する前記ｎ個の層の少なくとも１つを結集するように構成された、前記ｎ個の層の少なくとも１つに連結された結集手段とをさらに備え、
Ｓ１＜Ｓ１ａ、Ｓｎ＜Ｓｎａ、またはその両方であり、ＳＴＣ１＜ＳＴＣ２である、請求項２５に記載のＮＡＮＩ。
【請求項３０】
前記保育器は、導管を通過する前記音声を抑制するように構成された少なくとも１つのＳＡＭを有する、少なくとも１つの前記導管をさらに備える、請求項１に記載のＮＡＮＩ。
【請求項３１】
前記ＳＡＭ、前記保育器、またはその両方はＭＲＩ安全材料から作成される、請求項１に記載のＮＡＮＩ。
【請求項３２】
前記保育器は、音声レベルセンサ、音声周波数センサ、音声方向センサ、音声振幅センサ、音調センサ、音声速度センサ、前記新生児の生命パラメータを検知するように構成されたセンサ、およびそれらのあらゆる組合せからなる群から選択された少なくとも１つのセンサをさらに備える、請求項１に記載のＮＡＮＩ。
【請求項３３】
前記ＳＡＭは、吸収材料、音声反射板、音声拡散器、能動的音声削除デバイスおよびそれらのあらゆる組合せからなる群から選択された少なくとも１つにより、前記内部容積内の音声の残響、音声の反射、またはその両方を低減するように構成される、請求項１に記載のＮＡＮＩ。
【請求項３４】
前記ＮＡＮＩは、空気が入るかつ／または出るように構成された少なくとも１の空気入口、空気出口、またはその両方をさらに備え、さらに前記少なくとも１の空気入口、空気出口、またはその両方は少なくとも１つのＳＡＭをさらに備える、請求項１に記載のＮＡＮＩ。
【請求項３５】
前記ＮＡＮＩは、少なくとも１つの支柱により前記保育器に相互連結された、可動基部を備えるカート内に少なくとも一時的に収容される、請求項１に記載のＮＡＮＩ。
【請求項３６】
前記カートは少なくとも１つのＳＡＭをさらに備える、請求項３５に記載のＮＡＮＩ。
【請求項３７】
前記ＳＡＭは、前記保育器、前記カート基部、前記支柱、およびそれらのあらゆる組合せからなる群から選択されたものに連結される、請求項３６に記載のＮＡＮＩ。
【請求項３８】
新生児保育器を音声減衰するための方法であって、
ａ．時間ｔｉにおける前記音声振幅率（ＡｍｐＲａｔｔｉ）を所定時間Δｔに亘って測定された前記音声の臨界振幅率値（ＡｍｐＲＱＶΔｔ）以下に下げるように構成された、少なくとも１つの音声減衰モジュール（ＳＡＭ）を備える騒音減衰新生児保育器（ＮＡＮＩ）を獲得することと、
ｂ．前記新生児を前記ＮＡＮＩ内に収容することと、
ｃ．前記少なくとも１つのＳＡＭにより前記騒音を減衰し、それによって前記音声署名を変更することとを特徴とする、方法。
【請求項３９】
以下のステップ、すなわち
ａ．少なくとも１つのＣＲＭ、前記ＣＲＭと連通する少なくとも１つの音声センサ、前記ＣＲＭと連通する少なくとも１つの音声減衰器をさらに備える、前記ＳＡＭを獲得するステップと、
ｂ．所定時間Δｔに亘って測定された前記音声の前記臨界振幅率（ＡｍｐＲＱＶΔｔ）値、および時間ｔｉにおける前記音声振幅率（ＡｍｐＲａｔｔｉ）を前記ＣＲＭによって記憶するステップと、
ｃ．前記ＮＡＮＩ内の時間ｔｉにおける前記音声振幅率ＡｍｐＲａｔｔｉを少なくとも１つの音声センサによって連続的にサンプリングするステップと、
ｄ．ＡｍｐＲａｔｔｉ＜ＡｍｐＲａｔＱＶΔｔであるように、ＡｍｐＲａｔｔｉ＞ＡｍｐＲＱＶΔｔである場合、時間ｔｉにおける前記音声振幅率（ＡｍｐＲａｔｔｉ）を下げるステップとをさらに含み、
所定時間Δｔに亘って測定された前記音声の前記臨界振幅率値ＡｍｐＲａｔＱＶΔｔは前記音声減衰器により約１７８．８Δｔ未満になる、請求項３６に記載の方法。
【請求項４０】
前記センサから、少なくとも１つのインジケータ、少なくとも１つのユーザインターフェース、少なくとも１つの警報システム、少なくとも１つのＣＰＵ、およびそれらのあらゆる組合せからなる群から選択されたものに情報をさらに中継するステップをさらに含む、請求項３７に記載の方法。
【請求項４１】
前記少なくとも１つのセンサによって受信されたパラメータ、ユーザインターフェースを通して入力されたパラメータ、新生児医療機器から受信されたパラメータ、およびそれらのあらゆる組合せからなる群から選択されたものに従って、前記ＣＲＭによって前記音声減衰器を制御するステップをさらに含む、請求項３７に記載の方法。
【請求項４２】
保育器を音声減衰に対処するための基準であって、
ａ．時間ｔｉにおける前記音声振幅率（ＡｍｐＲａｔｔｉ）を所定時間Δｔに亘って測定された前記音声の臨界振幅率値（ＡｍｐＲＱＶΔｔ）以下に低減するように構成された、少なくとも１つの音声減衰モジュール（ＳＡＭ）を備える騒音減衰新生児保育器（ＮＡＮＩ）を獲得するステップと、
ｂ．前記新生児を前記保育器に収容するステップと、
ｃ．前記少なくとも１つのＳＡＭにより前記騒音を減衰し、それによって前記音声署名を変更するステップとを含み、さらに以下の少なくとも１つ、すなわち
ａ．前記保育器内の前記騒音レベルは４５デシベル未満である、
ｂ．前記保育器内の前記騒音レベルは６０デシベル未満である、
ｃ．前記保育器を利用しているときの新生児の可聴に関連した合併症の量は、新生児の可聴合併症の平均値よりｂ倍低い、但しｂは１．０５以上である、
ｄ．ＭＲＩ中の前記保育器を利用しているときの患者の騒音に由来するストレスからの唾液コルチゾルレベル指標の平均値は、ＭＲＩ中の平均値よりｎ倍低い、但しｎは１．０５以上である、
ｅ．通常使用において１０度傾斜したとき、および輸送中に２０度傾斜したときに前記保育器は安定した状態を保つ、
ｆ．前記保育器は１００Ｎ以下の力で衝突したときに転倒しない、
ｇ．電気機器システムを備えた前記保育器の内容積における放射電磁界は、ＥＭＣ（電磁両立性）に対する副通則の周波数域に対して最高３Ｖ／ｍまでのレベルになり、さらに前記電気機器は製造業者によって特定されたようにその意図した機能を実行し、またはＥＭＣに対する副通則の周波数域に対して最高１０Ｖ／ｍまでのレベルで安全危害を生じることなく機能しなくなる、
ｈ．前記保育器を利用するときに、製造業者、取扱者、ユーザ、オペレータ、医療従事者、医療施設、医療施設管理者またはそれらのあらゆる組合せからなる群から選択されたものの保険に適する請求の平均数は、患者のＭＲＩに関連した保険に適する請求よりｖ倍低い、但しｖは１．０５以上であるうちの少なくとも１つが適用される、基準。
【発明の詳細な説明】
【技術分野】
【０００１】
本発明は、一般に医療デバイス、好ましくは騒音抑制機構を備えた新生児保育器、およびその方法に関する。
【背景技術】
【０００２】
医療環境は騒音を発生する要素が多いことを特徴とする。静かな医療品を作成する主な恩恵は、心地良い音声またはそれがないことであり、それによってより多くの患者の承諾、患者コンプライアンスを導き、患者および医療／技術従事者の両方に対する健康危機を低減することである。さらに静かな医療環境は、医療スタッフの動揺を少なくし、介護のミスを低減する。
【０００３】
騒音を出す環境による患者への影響は、騒音を発生するデバイスに依存して動揺から有害までに及ぶ可能性がある。患者は不快、不安、および一時的から永久的な聴覚の損傷を経験することがある。音響騒音は特定の患者群に特有の問題を及ぼすことがある。例えば精神疾患のある患者は、大きい騒音に曝されることにより混乱し、または不安の高まりに苦しむことがある。鎮静剤を投与された患者は高騒音レベルに関連した不快感を経験することがある。
【０００４】
新生児および乳幼児は、音声障害に特に敏感な別の群の患者である。Ｒａｎｇａｎｎａ  Ｒ．、Ｂｕｓｔａｎｉ  Ｐ．による「Ｒｅｄｕｃｉｎｇ  ｎｏｉｓｅ  ｏｎ  ｔｈｅ  ｎｅｏｎａｔａｌ  ｕｎｉｔ」Ｉｎｆａｎｔ、２０１１、７（１）、２５〜２８に検討されているように、騒音は新生児の心拍および酸素飽和度に悪影響を及ぼす可能性がある。さらに騒音は新生児の睡眠と覚醒のサイクルを変え、したがって哺乳パターンを変える。
【０００５】
現代の保育器内の特に低周波数の騒音レベルは、発育中の新生児に有害な傾向があり得るレベルに達することがある。多くの騒音は低周波数であるので、従来の手段によって低減することは困難である。したがって対処するために必要なのは最新型の騒音制御である。例えばＭａｒｉｋらによる「Ｐｅｄｉａｔｒ  Ｃｒｉｔ  Ｃａｒｅ  Ｍｅｄ．」２０１２、Ｎｏｖ、１３（６）、６８５〜９を参照されたい。保育器内の騒音は、例えば空気の循環、ならびに／または様々な生命維持機構を支援するエンジン、ポンプ、および人工呼吸器に起因する可能性がある。多くの騒音は、閉ざされた空間のためにＣＰＡＰ（持続的気道陽圧法）によって発生される騒音のように保育器内で増幅さえもされる。
【０００６】
加えて様々な騒音のタイプは、心電図記録（ＥＣＧ）などの幼児を分析するデバイスにエラーをもたらす。Ｊ．ＭａｈｉｌおよびＴ．Ｓｒｅｅ  Ｒｅｎｇａ  Ｒａｇａによる「Ｈｙｂｒｉｄ  ｓｗａｒｍ  ａｌｇｏｒｉｔｈｍ  ｆｏｒ  ｔｈｅ  ｓｕｐｐｒｅｓｓｉｏｎ  ｏｆ  ｉｎｃｕｂａｔｏｒ  ｉｎｔｅｒｆｅｒｅｎｃｅ  ｉｎ  ｐｒｅｍａｔｕｒｅ  ｉｎｆａｎｔｓ  ＥＣＧ」、Ｊ．Ａｐｐｌｉｅｄ  Ｓｃｉｅｎｃｅｓ，Ｅｎｇｉｎｅｅｒｉｎｇ  ａｎｄ  Ｔｅｃｈｎｏｌｇｙ６（１６）、２９３１〜２９３５、２０１３に記載されたように、ここにはＥＣＧ信号をフィルタリングするための干渉騒音を削除する技法に対する学習アルゴリズムについて記載されている。
【０００７】
騒音を発生する医療デバイスの別の例は、磁気共鳴撮像デバイスである。ＭＲＩは身体の画像を形成するために強い磁場および電波を利用する。ＭＲＩの磁場は、電流が電磁石を通って走ることによって生成される。ＭＲＩが騒音を出すのは、電流がスイッチオンの時、電磁石を備えるコイルにかかる力がわずか数ミリ秒でゼロから非常に大きくなることにより、コイルがわずかに膨張し、これにより大きな「クリック」音を立てるためである。ＭＲＩが画像を生成するとき、電流はスイッチのオンオフを急速にする。その結果、矢継ぎ早にクリック騒音がし、これは患者が横になる閉囲された空間によって増幅される。ＭＲＩ装置内の他の騒音源は、患者を快適にするファンおよびＭＲシステムの超伝導磁石に関連した低温再生システムである。これらの補助システムによって生成される音響騒音は、傾斜磁場によってもたらされる音響騒音より著しく小さいが、患者の不快感全体の一因となる。ＲＦ聴覚は走査中に磁気共鳴デバイスによって発生される別の騒音である。これは、人頭がある特定の周波数でパルス高周波（ＲＦ）の放射を受けるときに起こり、クリック音、バズ音、チャープ音、またはノッキング騒音ととらえる可聴音が聞こえることがある。この音響現象は、「ＲＦ可聴」、「ＲＦ音」または「マイクロ波可聴」と呼ばれ、頭部の組織内で短時間に亘って熱弾性膨張から生じると考えられる。特にＭＲスキャナーの作動を基準に、ＲＦ可聴は、通常他の騒音を発生する手段によって抑制される、２．４〜１７０ＭＨｚの周波数に関連することがわかっている。
【０００８】
ＭＲシステムの作動中に様々なタイプの音響騒音が発生する。患者および医療従事者に対する音響騒音に関した問題には、苛立ち、言語コミュニケーションの困難、不安の高まり、一時的な難聴、また永久的な聴覚障害の可能性も含まれる。現在、患者が音響騒音に曝される少なくとも一部を照射するために、患者はヘッドホンおよび耳栓を与えられた。騒音保護のこれらの受動的手段は、ＭＲシステムの作動中に患者との言語コミュニケーションの妨害を制限することがある。加えて、標準の耳栓は乳幼児の外耳道に大き過ぎることが多い。受動的騒音制御デバイスは可聴域に亘る不均一な騒音の減衰を提供することが重要である。高周波数は良好に減衰できる一方で、減衰は低周波数には不十分であることが多い。これが問題であるのは、ある特定のパルスシーケンスに対してピークＭＲ撮像に関連した音響騒音が発生するのは低周波数領域だからである。能動的に音響騒音を削除する手段は、音響騒音のレベルを著しく低減させるために当技術分野で公知である。これは、騒音源を相殺的に干渉する特定源に「逆位相騒音」を導入することによって達成され、ヘッドホン内に組み込まれる。逆位相騒音システムは、周辺騒音が減衰されるように、連続したフィードバックループを騒音環境における音声の連続的にサンプリングに関与させる。これらの機構は、それぞれの異なる騒音を発生するデバイスへの適合を必要とし、すでに複雑に張力を受けた環境において患者の上に設置される別のデバイスをもたらす。
【発明の概要】
【発明が解決しようとする課題】
【０００９】
したがって依然として、患者が追加のデバイスにさらに連結される必要がなく、検診中に騒音を発生するデバイスを備える機構を排除する、医療デバイス内で患者に有効で安全な医療環境を提供することが長い間必要とされている。このデバイスにより、機器の起こした騒音および音声の残響および／または反射が効果的に低減される。さらに本発明に開示されたデバイスは、患者を収容する容積への音の伝達を低減させる機能をすることができる。
【課題を解決するための手段】
【００１０】
本発明は、時間ｔｉにおける音声振幅率（ＡｍｐＲａｔｔｉ）を所定時間Δｔに亘って測定された音声の臨界振幅率値（ＡｍｐＲＱＶΔｔ）以下に下げるように構成された音声減衰モジュール（ＳＡＭ（ｓｏｕｎｄ  ａｔｔｅｎｕａｔｉｎｇ  ｍｏｄｕｌｅ））を備える騒音減衰新生児保育器（ＮＡＮＩ（ｎｏｉｓｅ−ａｔｔｅｎｕａｔｉｎｇ  ｎｅｏｎａｔｅ  ｉｎｃｕｂａｔｏｒ））を提供し、音声減衰モジュール（ＳＡＭ）は、（ａ）保育器内で時間ｔｉにおける音声振幅率（ＡｍｐＲａｔｔｉ）を連続的にサンプリングするように構成された、ＣＲＭと連通する少なくとも１つの音声センサと、（ｂ）所定時間Δｔに亘って測定された音声の臨界振幅率値（ＡｍｐＲＱＶΔｔ）および時間ｔｉにおける音声振幅率（ＡｍｐＲａｔｔｉ）を記憶するための少なくとも１つのＣＲＭと、（ｃ）ＡｍｐＲａｔｔｉ＜ＡｍｐＲａｔＱＶΔｔであるように、ＡｍｐＲａｔｔｉ＞ＡｍｐＲＱＶΔｔである場合、時間ｔｉにおける音声振幅率（ＡｍｐＲａｔｔｉ）を下げるためにＣＲＭと連通する少なくとも１つの音声減衰器とを備え、所定時間Δｔに亘って測定された音声の臨界振幅率値ＡｍｐＲａｔＱＶΔｔ＜約１７８．８Δｔである。
【００１１】
本発明の別の目的は上記のすべてに定義されたＮＡＮＩを開示することであり、センサは少なくとも１つのインジケータ、少なくとも１つのユーザインターフェース、少なくとも１つの警報システム、少なくとも１つのＣＰＵ、およびそれらのあらゆる組合せからなる群から選択されたものとさらに連通する。
【００１２】
本発明の別の目的は上記のすべてに定義されたＮＡＮＩを開示することであり、ＣＲＭは、少なくとも１つのセンサの手段によって受信されたパラメータ、ユーザインターフェースを通して入力されたパラメータ、新生児用医療機器から受信されたパラメータ、およびそれらのあらゆる組合せからなる群から選択されたパラメータに従って音声減衰器を制御するように構成される。
【００１３】
本発明の別の目的は上記のすべてに定義されたＮＡＮＩを開示することであり、音声減衰器は、少なくとも１つの音響音声スピーカによって少なくとも１つの音響音声信号を発するように構成された、能動的音声マスキングシステムを備える。
【００１４】
本発明の別の目的は上記のすべてに定義されたＮＡＮＩを開示することであり、少なくとも１つの音響音声信号は、ホワイト騒音、ピンク騒音、グレー騒音、ブラウン騒音、ブルー騒音、バイオレット騒音、およびそれらのあらゆる組合せからなる群から選択される。
【００１５】
本発明の別の目的は上記のすべてに定義されたＮＡＮＩを開示することであり、音声減衰器は、少なくとも１つの変換器、少なくとも１つのスピーカ、およびそれらのあらゆる組合せからなる群から選択されたデバイスによって発生された相殺干渉によって騒音を削除するまたは低減するように構成された、反応音響デバイスを備える。
【００１６】
本発明の別の目的は上記のすべてに定義されたＮＡＮＩを開示することであり、ＳＡＭは、背景騒音から少なくとも１つの既定の音声を区別し、背景騒音、少なくとも１つの既定の騒音、およびそれらのあらゆる組合せからなる群から選択された騒音を減衰するように構成される。
【００１７】
本発明の別の目的は上記のすべてに定義されたＮＡＮＩを開示することであり、ＣＲＭは、音声レベル、音調、倍音成分、残響、音声周波数、音声波長、音波振幅、音波速度、音波方向、音波エネルギー、音波位相、音波形状、音波エンベロープ、音声音色、およびそれらのあらゆる組合せからなる群から選択された少なくとも１つの音声特徴を記憶するように構成される。
【００１８】
本発明は、時間ｔｉにおける音声振幅率（ＡｍｐＲａｔｔｉ）を所定時間Δｔに亘って測定された音声の臨界振幅率値（ＡｍｐＲＱＶΔｔ）以下に下げるように構成された音声減衰モジュール（ＳＡＭ）を備える騒音減衰新生児保育器（ＮＡＮＩ）を提供する。
【００１９】
本発明の別の目的は上記のすべてに定義されたＮＡＮＩを開示することであり、ＳＡＭは既定の音声特徴における騒音を減衰するように構成される。
【００２０】
本発明の別の目的は上記のすべてに定義されたＮＡＮＩを開示することであり、ＳＡＭは、音声レベルを低減する、音声反射を低減する、音声残響を低減する、音声拡散を生成する、音声をマスキングする、音声を削除する、音声署名を変更する、およびそれらのあらゆる組合せからなる群から選択されたものにより騒音を低減するように構成される。
【００２１】
本発明の別の目的は上記のすべてに定義されたＮＡＮＩを開示することであり、ＳＡＭは、音声レベル、音調、倍音成分、残響、音声周波数、音声波長、音波振幅、音波速度、音波方向、音波エネルギー、音波位相、音波形状、音波エンベロープ、音声音色、およびそれらのあらゆる組合せからなる群から選択された少なくとも１つの音声特徴を変更するように構成され、それによって異なる音声署名を発生する。
【００２２】
本発明の別の目的は上記のすべてに定義されたＮＡＮＩを開示することであり、音声署名は、ユーザによって構成可能である、既定される、新生児の生命パラメータを基準に自動的に調節可能である、およびそれらのあらゆる組合せからなる群から選択される。
【００２３】
本発明の別の目的は上記のすべてに定義されたＮＡＮＩを開示することであり、ＳＡＭは、能動的音声減衰手段、受動的音声減衰手段、ハイブリッド音声減衰手段、およびそれらのあらゆる組合せからなる群から選択された少なくとも１つの手段を備える。
【００２４】
本発明の別の目的は上記のすべてに定義されたＮＡＮＩを開示することであり、少なくとも１つの受動的音声減衰手段は、少なくとも１つの音声吸収材料、少なくとも１つの共鳴器、少なくとも１つの音声遮蔽板、少なくとも１つのベーストラップ、少なくとも１つの音声反射板、少なくとも１つの拡散器、少なくとも１つの絶縁パッド、少なくとも１つの音声反射器、少なくとも１つの音声抑制器（ＳＭ）、およびそれらのあらゆる組合せからなる群から選択される。
【００２５】
本発明の別の目的は上記のすべてに定義されたＮＡＮＩを開示することであり、ＳＡＭは、少なくとも１つの長さ（ｌ）および少なくとも１つの幅（ｗ）を有する、少なくとも１つのシリンダ導管を備える少なくとも１つの音声抑制器（ＳＭ）を備え、シリンダは少なくとも１つの空気入口および少なくとも１つの空気出口を備え、さらにＳＭは、少なくとも１つの空気出口から出る音声が少なくとも１つの空気入口に入る音声と異なる音声署名であるように構成される。
【００２６】
本発明の別の目的は上記のすべてに定義されたＮＡＮＩを開示することであり、ＳＭは、その間に結合された少なくとも第１のシリンダおよび少なくとも第２のシリンダを備え、結合部はその間に流体連通できるように構成された少なくとも１つの開口を備える。
【００２７】
本発明の別の目的は上記のすべてに定義されたＮＡＮＩを開示することであり、少なくとも１つのシリンダの幅（ｗ）は、幅（ｗ）が長さ（ｌ）に沿って等しい、長さ（ｌ）に沿って異なる、またはそれらのあらゆる組合せからなる群から選択される。
【００２８】
本発明の別の目的は上記のすべてに定義されたＮＡＮＩを開示することであり、ＳＭは、（ｌ）１＝（ｌ）ｎ、（ｌ）１＞（ｌ）ｎ、（ｌ）１＜（ｌ）ｎ、（ｌ）１≠（ｌ）ｎ、（ｗ）１＝（ｗ）ｎ、（ｗ）１＞（ｗ）ｎ、（ｗ）１＜（ｗ）ｎ、（ｗ）１≠（ｗ）ｎ、およびそれらのあらゆる組合せからなる群から選択された、それぞれのシリンダの長さ（ｌ）１〜…ｎおよび幅（ｗ）１〜…ｎを有する複数のｎ個のシリンダを備える。
【００２９】
本発明の別の目的は上記のすべてに定義されたＮＡＮＩを開示することであり、ＳＡＭは、ＮＡＮＩ内で新生児の配置を隔離するように構成された少なくとも１つの絶縁パッドを備え、さらに絶縁体はＮＡＮＩ内にアクセスできるように構成された少なくとも１つの開口を備える。
【００３０】
本発明の別の目的は上記のすべてに定義されたＮＡＮＩを開示することであり、絶縁体の少なくとも一部は、断熱材料、封止材料、発泡材料、難燃材料、少なくとも一部が透明な材料およびそれらのあらゆる組合せからなる群から選択された材料を備える。
【００３１】
本発明の別の目的は上記のすべてに定義されたＮＡＮＩを開示することであり、ＳＡＭは、少なくとも１つの絶縁材料、少なくとも１つの封止材料、少なくとも１つの音声吸収材料、少なくとも１つの振動吸収材料、およびそれらのあらゆる組合せからなる群から選択された材料の少なくとも一部を備える、少なくとも１つの音声遮蔽板を備える。
【００３２】
本発明の別の目的は上記のすべてに定義されたＮＡＮＩを開示することであり、ＳＡＭは保育器に可逆的に取付け可能なモジュラー要素である。
【００３３】
本発明の別の目的は上記のすべてに定義されたＮＡＮＩを開示することであり、ＳＡＭは、少なくとも１つの吸収面、少なくとも１つの音声拡散器、少なくとも１つの音声反射板、少なくとも１つの反射面、少なくとも１つの共鳴器、少なくとも１つの音声遮蔽板、新生児から離れた方向に向けられた場所、およびそれらのあらゆる組合せからなる群から選択されたものに騒音を方向付けるように構成された、少なくとも１つの音声反射器を備える。
【００３４】
本発明の別の目的は上記のすべてに定義されたＮＡＮＩを開示することであり、ＳＡＭの少なくとも一部はｎ個の層を備え、さらにｎ個の層は、それぞれ新生児に面した内側および新生児から外方を向いた反対側の外側を備える。
【００３５】
本発明の別の目的は上記のすべてに定義されたＮＡＮＩを開示することであり、ｎ個の層は、それぞれ既定の騒音低減係数（ＮＲＣ）値、音響透過クラス（ＳＴＣ）値、またはその両方を含み、さらにＮＲＣ値、ＳＴＣ値、またはその両方はｎ個の層の１つのそれぞれに対して等しいかまたは異なることが可能である。
【００３６】
本発明の別の目的は上記のすべてに定義されたＮＡＮＩを開示することであり、ｎ個の層の少なくとも２つは、ｎ個の層のそれぞれに対して騒音低減係数（ＮＲＣ）値を含み、それぞれの層は、層の外側で測定された少なくとも１つの音声レベルＳ（ｄＢ）、およびｄＳ１〜…ｄＳｎを有する層の内側で測定された少なくとも１つの第１の音声レベルＳ１（ｄＢ）を含み、ＳＡＭのｄＳはＳ１−Ｓｎと等しく、Ｓ１−Ｓｎ＜Ｓ１である。
【００３７】
本発明の別の目的は上記のすべてに定義されたＮＡＮＩを開示することであり、ｎ個の層の少なくとも２つは、ｎ個の層のそれぞれに対して音響透過クラス（ＳＴＣ）値を含み、それぞれの層は、層の外側で測定された少なくとも１つの音声レベルＳ（ｄＢ）、およびｄＳ１〜…ｄＳｎを有する層の内側で測定された少なくとも１つの第１の音声レベルＳ１（ｄＢ）を含み、ＳＡＭのｄＳはＳ１−Ｓｎと等しく、Ｓ１−Ｓｎ＜Ｓ１である。
【００３８】
本発明の別の目的は上記のすべてに定義されたＮＡＮＩを開示することであり、ＳＡＭは、（ａ）ｎ個の層の少なくとも１つから保育器までの空間Ｓ１、ｎ個の層のそれぞれの間の空間Ｓｎ、またはその両方と、（ａ）層１〜ｎに対して測定されたＳＴＣ１（音響透過クラス）値と、（ｃ）ｎ個の層の少なくとも１つから保育器までの空間Ｓ１ａ、ｎ個の層のそれぞれの間の空間Ｓｎａ、またはその両方、および層１〜ｎに対して測定されたＳＴＣ２値を有するｎ個の層の少なくとも１つを結集するように構成された、ｎ個の層の少なくとも１つに連結された結集手段とをさらに備え、Ｓ１＜Ｓ１ａ、Ｓｎ＜Ｓｎａ、またはその両方であり、ＳＴＣ１＜ＳＴＣ２である。
【００３９】
本発明の別の目的は上記のすべてに定義されたＮＡＮＩを開示することであり、保育器は、導管を通過する音声を抑制するように構成された少なくとも１つのＳＡＭを有する少なくとも１つの導管をさらに備える。
【００４０】
本発明の別の目的は上記のすべてに定義されたＮＡＮＩを開示することであり、ＳＡＭ、保育器、またはその両方はＭＲＩ安全材料から作成される。
【００４１】
本発明の別の目的は上記のすべてに定義されたＮＡＮＩを開示することであり、保育器は、音声レベルセンサ、音声周波数センサ、音声方向センサ、音声振幅センサ、音調センサ、音声速度センサ、新生児の生命パラメータを検知するように構成されたセンサ、およびそれらのあらゆる組合せからなる群から選択された少なくとも１つのセンサをさらに備える。
【００４２】
本発明の別の目的は上記のすべてに定義されたＮＡＮＩを開示することであり、ＳＡＭは、吸収材料、音声反射板、音声拡散器、能動的音声削除デバイスおよびそれらのあらゆる組合せからなる群から選択された少なくとも１つによって、内部容積内の音声の残響、音声の反射、またはその両方を低減するように構成される。
【００４３】
本発明の別の目的は上記のすべてに定義されたＮＡＮＩを開示することであり、ＮＡＮＩは、空気が入るかつ／または出るために構成された少なくとも１の空気入口、空気出口、またはその両方をさらに備え、さらに少なくとも１の空気入口、空気出口、またはその両方は少なくとも１つのＳＡＭを備える。
【００４４】
本発明の別の目的は上記のすべてに定義されたＮＡＮＩを開示することであり、ＮＡＮＩは、少なくとも１つの支柱により保育器に相互連結された、可動基部を備えるカート内に少なくとも一時的に収容される。
【００４５】
本発明の別の目的は上記のすべてに定義されたＮＡＮＩを開示することであり、カートは少なくとも１つのＳＡＭをさらに備える。
【００４６】
本発明の別の目的は上記のすべてに定義されたＮＡＮＩを開示することであり、ＳＡＭは、保育器、カート基部、支柱、およびそれらのあらゆる組合せからなる群から選択されたものに連結される。
【００４７】
本発明は、（ａ）時間ｔｉにおける音声振幅率（ＡｍｐＲａｔｔｉ）を所定時間Δｔに亘って測定された音声の臨界振幅率値（ＡｍｐＲＱＶΔｔ）以下に下げるように構成された少なくとも１つの音声減衰モジュール（ＳＡＭ）を備える、騒音減衰新生児保育器（ＮＡＮＩ）を獲得することと、（ｂ）新生児をＮＡＮＩ内に収容することと、（ｃ）少なくとも１つのＳＡＭにより騒音を減衰し、それによって音声署名を変更することとを特徴とする、新生児保育器を音声減衰するための方法を提供する。
【００４８】
本発明の別の目的は上記のすべてに定義されたＮＡＮＩを開示することであり、以下のステップ、すなわち（ａ）少なくとも１つのＣＲＭ、ＣＲＭと連通する少なくとも１つの音声センサ、ＣＲＭと連通する少なくとも１つの音声減衰器をさらに備える、ＳＡＭを獲得するステップと、（ｂ）所定時間Δｔに亘って測定された音声の臨界振幅率（ＡｍｐＲＱＶΔｔ）、および時間ｔｉにおける音声振幅率（ＡｍｐＲａｔｔｉ）をＣＲＭによって記憶するステップと、（ｃ）ＮＡＮＩ内の時間ｔｉにおける音声振幅率（ＡｍｐＲａｔｔｉ）を少なくとも１つの音声センサによって連続的にサンプリングするステップと、（ｄ）ＡｍｐＲａｔｔｉ＜ＡｍｐＲａｔＱＶΔｔであるように、ＡｍｐＲａｔｔｉ＞ＡｍｐＲＱＶΔｔである場合、時間ｔｉにおける音声振幅率（ＡｍｐＲａｔｔｉ）を下げるステップとをさらに含み、所定時間Δｔに亘って測定された音声の臨界振幅率値ＡｍｐＲａｔＱＶΔｔ＜約１７８．８Δｔである。
【００４９】
本発明の別の目的は上記のすべてに定義されたＮＡＮＩを開示することであり、センサから、少なくとも１つのインジケータ、少なくとも１つのユーザインターフェース、少なくとも１つの警報システム、少なくとも１つのＣＰＵ、およびそれらのあらゆる組合せからなる群から選択されたものに情報をさらに中継するステップをさらに含む。
【００５０】
本発明の別の目的は上記のすべてに定義されたＮＡＮＩを開示することであり、少なくとも１つのセンサによって受信されたパラメータ、ユーザインターフェースを通して入力されたパラメータ、新生児用医療機器から受信されたパラメータ、およびそれらのあらゆる組合せからなる群から選択されたものに従ってＣＲＭによって音声減衰器を制御するステップをさらに含む。
【００５１】
本発明は、（ａ）時間ｔｉにおける音声振幅率（ＡｍｐＲａｔｔｉ）を所定時間Δｔに亘って測定された音声の臨界振幅率値（ＡｍｐＲＱＶΔｔ）以下に低減するように構成された、少なくとも１つの音声減衰モジュール（ＳＡＭ）を備える騒音減衰新生児保育器（ＮＡＮＩ）を獲得するステップと、（ｂ）新生児を保育器に収容するステップと、（ｃ）少なくとも１つのＳＡＭにより騒音を減衰し、それによって音声署名を変更するステップとを含む、保育器を音声減衰に対処するための基準を提供し、さらに以下の少なくとも１つ、すなわち（ａ）保育器内の騒音レベルは４５デシベル未満である、（ｂ）保育器内の騒音レベルは６０デシベル未満である、（ｃ）保育器を利用しているときの新生児の可聴に関連した合併症の量は、新生児の可聴合併症の平均値よりｂ倍低い、但しｂは１．０５以上である、（ｄ）ＭＲＩ中の保育器を利用しているときの患者の騒音に由来するストレスからの唾液コルチゾルレベル指標の平均値は、ＭＲＩ中の平均値よりｎ倍低い、但しｎは１．０５以上である、（ｅ）通常使用において１０度傾斜したとき、および輸送中に２０度傾斜したときに保育器は安定した状態を保つ、（ｆ）保育器は１００Ｎ以下の力で衝突したときに転倒しない、（ｇ）電気機器システムを備えた保育器の内容積における放射電磁界は、ＥＭＣ（電磁両立性）に対する副通則の周波数域に対して最高３Ｖ／ｍまでのレベルになり、さらに電気機器は製造業者によって特定されたその意図した機能を実行し、またはＥＭＣに対する副通則の周波数域に対して最高１０Ｖ／ｍまでのレベルで安全危害を生じることなく機能しなくなる、（ｈ）保育器を利用するときに、製造業者、取扱者、ユーザ、オペレータ、医療従事者、医療施設、医療施設管理者またはそれらのあらゆる組合せからなる群から選択されたものの保険に適する請求の平均数は、患者のＭＲＩに関連した保険に適する請求よりｖ倍低い、但しｖは１．０５以上であるうちの少なくとも１つが適用される。
【００５２】
本発明を理解して、本発明が実際にどのように実行できるかを見るために、次に非限定的に過ぎない例により添付図面を参照していくつかの好ましい実施形態について説明する。
【図面の簡単な説明】
【００５３】
【図１】騒音を出す環境である保育器内に存在する新生児を示す図である。
【図２】図２ａ〜図２ｅは、保育器に関連した音声減衰モジュールの場所の実施形態を一定の縮尺ではない方法で概略的に示す図である。
【図３】図３ａ〜図３ｆは、受動的ＳＡＭの異なる実施形態を一定の縮尺ではない方法で概略的に示す図である。
【図４】図４ａ〜図４ｄは、能動的ＳＡＭの異なる実施形態を一定の縮尺ではない方法で概略的に示す図である。
【図５】騒音抑制機構を備えた通気システムを備えた保育器／医療デバイスを概略的に示す図である。
【図６】保育器基部における通気システムおよび騒音抑制機構を備えるカートの一部としての保育器を一定の縮尺ではない方法で概略的に示す図である。
【図７ａ】空気が少なくとも１つの音声抑制器を通って流れるように構成された、通気システムを備えた保育器を説明する概略図である。
【図７ｂ】少なくとも１つの音声抑制器を通る通気システムに連結された保育器を備えるカートを説明する概略図である。
【図８ａ】音切れの振幅、周波数、および間隔の関数としての新生児の動揺パラメータを説明する概略図である。
【図８ｂ】音切れの振幅、周波数、および間隔の関数としての新生児の動揺パラメータを説明する概略図である。
【図８ｃ】音切れの振幅、周波数、および間隔の関数としての新生児の動揺パラメータを説明する概略図である。
【図８ｄ】音切れの振幅、周波数、および間隔の関数としての新生児の動揺パラメータを説明する概略図である。
【図８ｅ】音切れの振幅、周波数、および間隔の関数としての新生児の動揺パラメータを説明する概略図である。
【発明を実施するための形態】
【００５４】
以下の説明は、あらゆる当業者が本発明を活用することができるように提供され、本発明を実行する発明者によって企図された最良のモードを説明する。しかし本発明の一般的原理は医療デバイス内の騒音を低減するための装置および方法を提供するために具体的に定義されてきたので、依然として様々な修正形態が当業者には明らかになろう。
【００５５】
本発明は、騒音を減衰するための音声減衰器を備える新生児保育器に関する。さらに本発明は、騒音を減衰するための能動的音声減衰器を備える新生児保育器に関する。能動的音声減衰器が受動的音声減衰器に加えられる、または能動的音声減衰器が受動的音声減衰器と組み合わされることが、本発明の範疇である。
【００５６】
また本発明は、騒音を減衰するための受動的音声減衰器を備える新生児保育器に関する。受動的音声減衰器が能動的音声減衰器に加えられる、または受動的音声減衰器が能動的音声減衰器と組み合わされることが、本発明の範疇である。
【００５７】
本発明の本質は、患者を少なくとも一時的に収容するように適合された内部環境、および少なくとも１つの騒音発生器を備える周辺環境を備える保育器を提供することであり、保育器は、少なくとも１つの騒音発生器によって発生された内部環境における騒音を低減するように構成された、少なくとも１つの音声減衰手段を備えることを特徴とする。
【００５８】
さらに能動的音声減衰器、受動的音声減衰器、ハイブリッド音声減衰器、およびそれらのあらゆる組合せからなる群から選択された少なくとも１つの音声減衰器を備える、新生児を収容するように構成された医療デバイスを提供することが、本発明の範疇である。用語「医療デバイス」は、健康管理設備内に患者が入院中、および／もしくは患者の検査、試験、撮像、手術、治療中、患者を少なくとも一時的に収容するように構成された、あらゆる装置、デバイスまたは機構と交換可能に以下で指す。この医療デバイスは、あらゆる磁気共鳴撮像デバイス、保育器、輸送保育器、あらゆる輸送可能な保育器、カート、ＣＴスキャナー、Ｘ線デバイス、超音波検査デバイス、弾性計測器、蛍光透視デバイス、光音響撮像デバイス、サーモグラフィデバイス、機能的近赤外分光器および医療用写真撮影デバイス、および核医学機能的撮像デバイス、陽電子放射形断層撮影（ＰＥＴ）デバイス、手術台、治療台、医療輸送デバイス、ならびにそれらのあらゆる組合せなどであることが可能である。
【００５９】
用語「輸送保育器」は、あらゆる保育器、固定された保育器、輸送可能な保育器、携帯用保育器、およびそれらのあらゆる組合せと交換可能に以下で指す。看護下にあるときに新生児を収容するように構成された、永久に固定して置かれた保育器または携帯用保育器が、本発明の範疇である。
【００６０】
用語「磁気共鳴撮像デバイス」（ＭＲＤ）は、特にあらゆる磁気共鳴撮像（ＭＲＩ）デバイス、あらゆる核磁気共鳴（ＮＭＲ）分光器、あらゆる電子スピン共鳴（ＥＳＲ）分光器、あらゆる核四重極共鳴器（ＮＱＲ）、あらゆるレーザ磁気共鳴デバイス、あらゆる量子回転磁気共鳴デバイス（サイクロトロン）、およびそれらのあらゆる組合せに以下で適用する。また本発明において用語「磁気共鳴撮像デバイス」（ＭＲＤ）は、コンピュータ断層撮影（ＣＴ）、超音波（ＵＳ）などの関心容積を備えるあらゆる他の分析および撮像器具にも適用する。本明細書に開示されたＭＲＤは、恣意的にＡＳＰＥＣＴ−ＭＲ  Ｌｔｄから市販されているデバイスなどの携帯用ＭＲＩデバイス、または市販の非携帯デバイスである。加えてまたは別法として、ＭＲＤは、２００８年５月２７日に「磁気共鳴デバイスを包囲する自己締結ケージおよびその方法」という名称で出願された米国特許第７７１９２７９Ｂ２号に示されたような、磁気共鳴デバイスを包囲する自己締結ケージであり、その全体が参照によって本明細書に組み込まれる。
【００６１】
用語「カート」は、カートを輸送するために使用されるあらゆる装置を以下で指す。これは手動、自動、もしくはその両方で押したり引いたりされるあらゆる輸送デバイスまたはあらゆる小型車両を含む。より具体的には、用語「カート」は、１つまたは複数の車輪、ローラ、スライドブレード、回転ベルトなどの要素を提供する可動性を有する、保育器を保持することができる構造に関する。例えばストレッチャー、手動カート、電動カート、ワゴン、手押し車、人力車、ラック、ワゴン、手押し車、バギー、ドリー、キャリッジ、浮き、タクシー、荷馬車、ギグ、ガーニー、手動カート、かご、手押しカート、荷物運搬車、一輪荷車、二輪馬車など。
【００６２】
用語「保育器」は、病気または早産の新生児の看護を専門とする特別な設備と交換可能に以下で指す。これは固定の保育器、移動可能な保育器、輸送保育器、使い捨て可能な保育器、医療施設の保育器、携帯用保育器、集中治療用保育器、家庭使用を意図した保育器、新生児を撮像するための保育器、治療用保育器、モジュラー保育器、隔離保育器、およびそれらのあらゆる組合せを含む。新生児用保育器は、観察および看護のために制御された環境に幼児を保持できる箱状の筐体である。保育器は、通常収容された新生児の観察手段、ならびに生命維持機器の通路、および取扱者の手のための開口を含む。保育器内に形成された少なくとも一部が閉囲された環境は、騒音、振動、ドリフト、温度、光、ガス濃度、湿度、微生物などの外部環境条件から少なくとも部分的に隔離され、かつ／または医療従事者によって定義された生命維持パラメータに達するように調節される。保育器は生命維持機器を含むことができる、または保育器を生命維持装置に連結することができる。内部環境を、温度調節、通気、加湿、照明、移動、騒音低減システム、振動低減システムなどの環境制御システムによって制御することができる。
【００６３】
用語「ＭＲＩ安全」は、磁気共鳴環境で使用されるときに患者に加える危険性がなく、診断情報の品質にあまり影響を与えないあらゆる物質と交換可能に本明細書で指す。この物質は完全に非磁性であり、非導電性であり、高周波に反応せず、ＭＲＩ処置中に主な潜在的脅威のすべてを取り除く。
【００６４】
用語「人間の聴覚」は、正常聴力に対する通常の周波数は２０Ｈｚ〜２０，０００Ｈｚである、人間の耳によって受領されるあらゆる音声と交換可能に本明細書で指す。対数デシベル尺度，ｄＢは音声出力を指す際に使用される。
【００６５】
用語「デシベル」すなわち「ｄＢ」は、振幅などの２つの値の間の割合を表すために使用される単位と交換可能に本明細書で指す。音声出力比がｘであり、振幅比が√ｘである場合は、ｄＢは１０  ｌｏｇ１０  ｘと等しい。ウィキペディアに示されたように、磁場振幅を指す際に、Ａ１（測定された振幅）およびＡ０（基準振幅）の二乗の割合を通常検討する。これはほとんどの適用電力で振幅の二乗に比例するからであり、２つのデシベルの公式はこのような典型的な場合に同じ結果を与えることが望ましい。したがって以下の定義が使用される。
【数１】
2016534835.tif 000003
【００６６】
出力比における１０倍の変化は、１０ｄＢの変化である。デシベルは、空気中の基準圧力２０マイクロパスカルおよび水中の基準圧力１マイクロパスカルに対して、一般に音圧の単位として音響に使用される。空気中の基準圧力は平均的人間の知覚の通常の閾値に設定され、音圧の異なるレベルを示すために使用される一般的な比較が存在する。音圧は場の量であり、したがって単位定義の場の型には以下が使用される。
【数２】
2016534835.tif 000004
式中、ｐｒｅｆは空気中の２０マイクロパスカルまたは水中の１マイクロパスカルの標準の基準音圧レベルに等しい。
【００６７】
デシベル尺度では、最小の可聴音（ほとんど完全に無音）は０ｄＢである。ここに一部の通常の音声および当技術分野で公知のそれらのデシベル評価を挙げると、ほとんど完全に無音は０ｄＢ、ささやきは約１５ｄＢ、普通の会話は約４０〜６０ｄＢ、芝刈り機は約９０ｄＢ、車のクラクションは約１１０ｄＢ、ロックコンサートまたはジェットエンジンは約１１０〜１５０ｄＢ、銃声または爆竹は１４０ｄＢである。約８５ｄＢを超えるあらゆる音声は難聴を起こす可能性があることが公知であり、難聴は音声出力ならびに曝される時間の両方に関連する。９０ｄＢの音声に８時間曝されると人の耳に障害をもたらす可能性があり、１４０ｄＢの音声に曝されると誰もが即座に障害を引き起こす（また実際の痛みを生じる）。
【００６８】
本発明の一実施形態によれば、受動的音声減衰器、能動的音声減衰器、またはその両方を合わせて音声レベルを４５ｄＢ以下に維持するように構成される。
【００６９】
本発明は、時間ｔｉにおける音声振幅率（ＡｍｐＲａｔｔｉ）を所定時間Δｔに亘って測定された音声の臨界振幅率値（ＡｍｐＲＱＶΔｔ）以下に低減するように構成された、音声減衰モジュール（ＳＡＭ）を備える騒音減衰新生児保育器（ＮＡＮＩ）を提供し、音声減衰モジュール（ＳＡＭ）は、（ａ）保育器内で時間ｔｉにおける音声振幅率（ＡｍｐＲａｔｔｉ）を連続的にサンプリングするように構成された、ＣＲＭと連通する少なくとも１つの音声センサと、（ｂ）所定時間Δｔに亘って測定された音声の臨界振幅率値（ＡｍｐＲＱＶΔｔ）および時間ｔｉにおける音声振幅率（ＡｍｐＲａｔｔｉ）を記憶するための少なくとも１つのＣＲＭと、（ｃ）ＡｍｐＲａｔｔｉ＜ＡｍｐＲａｔＱＶΔｔであるように、ＡｍｐＲａｔｔｉ＞ＡｍｐＲＱＶΔｔである場合、時間ｔｉにおける音声振幅率（ＡｍｐＲａｔｔｉ）を下げるためにＣＲＭと連通する少なくとも１つの音声減衰器とを備え、所定時間Δｔに亘って測定された音声の臨界振幅率値ＡｍｐＲａｔＱＶΔｔ＜約１７８．８Δｔである。
【００７０】
用語「ＡｍｐＲａｔｔｉ」は、単位時間を計算するために時間ｔｉにおいて特定点で測定された音声振幅率の値と交換可能に本明細書で指す。周波数の単位はヘルツ（Ｈｚ）であり、１Ｈｚは事象が１秒当たり１回繰り返すことを意味する。通常Ｔで表される期間は１循環の持続時間であり、周波数ｆの逆数であり、すなわち以下のように表される。
【数３】
2016534835.tif 000005
【００７１】
人間の可聴は２０〜２００００Ｈｚの範囲であるので、２つの最大振幅間の最小時間は５０マイクロ秒であり、最大時間は０．０５秒であると計算することができる。したがって非制限的例として、時間経過は５０マイクロ秒以上などである可能性がある。加えてまたは別法として、信号のサンプリングは通常信号の少なくとも２つの時間経過のサンプリングに関連することが信号処理の技術分野では公知である。信号処理では、サンプリングは連続信号から離散的信号を除する。一般例では音波を一連のサンプルに変換する。サンプルは、時間内および／または空間内の１点における１つまたは１組の値を指す。サンプルを生成するためのサンプリングはサンプリング事象と呼ばれる。サンプリングされた信号は１つまたは複数の音調であることが可能である。５０マイクロ秒の値は人間の可聴域における信号波の２つの振幅ピークの間の最小時間経過であり、あらゆる音調の組合せはこの値以上であることが必要になる。
【００７２】
加えてまたは別法として、音響サンプリングに対するサンプリング周波数（サンプリング率）は、人間の可聴域２０〜２００００Ｈｚ全体を網羅する音響を捕捉することが必要であるときに、音響波形は（ウィキペディアに示されているように）４４．１ｋＨｚ、４８ｋＨｚ、８８．２ｋＨｚ、または９６ｋＨｚで通常サンプリングされる。所与の信号をその最高周波数のほぼ２倍の率でサンプリングすることが必要であることは、ナイキストの定理により公知である。約５０ｋＨｚ〜６０ｋＨｚを超えるサンプリング率は、人間の聴取者に対してより多くの使用可能な情報を供給することができない。したがって本発明の一実施形態によるＳＡＭに対する最小サンプリング率は４０ｋＨｚである。より高いサンプリング率は、サンプリングされた信号の特徴を決定するために高分解能を提供する。
【００７３】
用語「ＡｍｐＲＱＶΔｔ」は、複数のサンプリング事象を実行できるこの時間の間に所定時間Δｔに亘って測定された音声の臨界振幅率値と交換可能に本明細書で指す。この値は規定されることに加えてまたは別法として、この値をユーザが構成することができる。加えてまたは別法として、ＣＲＭは、新生児の応答に音声の減衰を調節することにより、リアルタイムでＡｍｐＲＱＶΔｔを変更するように構成される。
【００７４】
用語「波形」は波の実際の形状である。一部の異なるタイプの波は正弦波であり、これらは純音であり高調波をもたない。方形波および三角波はどちらも唯一の奇数高調波を有するが、それらの高調波のレベルが異なるため互いから区別される。鋸歯状波は偶数高調波および奇数高調波の両方を有する。これは基本と音声にその音色（音声の音色または質）を与える高調波の独自の組合せである。また音色は音声エンベロープによって画定される。エンベロープは振幅と波長のある種の組合せであり、これはＡＤＳＲ（立ち上がり（Ａｔｔａｃｋ）、減衰（Ｄｅｃａｙ）、保持（Ｓｕｓｔａｉｎ）、余韻（Ｒｅｌｅａｓｅ））に分類される音声の個々の部分を説明する。立ち上がりは、音源が振動を始めた後の音声の開始の仕方であり、減衰は立ち上がり後の最初の激減であり、保持は、最初の減衰後に音声が比較的持続したままであるときであり、余韻は、音声が消えてなくなる時間および方法である（ｈｔｔｐ：／／ｗｗｗ．ａｕｄｉｏｄｕｃｔ．ｃｏｍ／Ｌｅｓｓｏｎｓ）。
【００７５】
用語「音波位相」は２つの波の間の時間的関係を本明細書では指す。同一位相において波は協働で作用する（圧縮および希薄は両方の波に同時に起きる）。これにより振幅が増加する。２つの波が完全に同相にある場合は、振幅は３ｄＢだけ増加する。不一致の位相において波は互いに反対に作用する（圧縮が一方の波に起きる一方で、希薄が他方の波に起きる。波の位相が完全に不一致（１８０度）である場合は、極度の打消しが存在する。
【００７６】
加えてまたは別法として、音声レベル（ｄＢ）、音声周波数（Ｈｚ）、循環周期（秒）、音声信号内の音調の組合せ、波長（フィートまたはメートル）、速度（フィート毎秒またはメートル毎秒）、波形、エンベロープ、音色、位相、およびそれらのあらゆる組合せからなる群から選択された少なくとも１つの音声特徴をサンプリングすることが、本発明の範疇である。
【００７７】
信号／騒音をサンプリングするための手段は、レコードおよびテープなどのアナログ手段、音声再生のためにパルス符号変調およびデジタル信号を使用するデジタル音響によって記録することなどである。これにはアナログ・デジタル変換（ＡＤＣ）、デジタル・アナログ変換（ＤＡＣ）、保存、および送信が含まれる。
【００７８】
本発明の別の実施形態によれば、上に定義されたようなＮＡＮＩが開示され、ＣＲＭは１つまたは複数のサンプリング事象が１つまたは複数のサンプル値を生成するように構成され、さらにサンプルの１つまたは複数の値は音声署名を決定するために分析される。
【００７９】
本発明の別の実施形態によれば、上に定義されたようなＮＡＮＩが開示され、ＣＲＭは時点ｔとｔ＋５０マイクロ秒以上のｔ１との間の信号の振幅率をサンプリングするように構成され、それによってＡｍｐＲａｔｔｉを決定する。
【００８０】
本発明の別の実施形態によれば、上に定義されたようなＮＡＮＩが開示され、ＣＲＭはＡｍｐＲａｔｔｉを決定するために少なくとも２つのサンプリング事象の平均を計算するように構成される。
【００８１】
本発明の別の実施形態によれば、上に定義されたようなＮＡＮＩが開示され、ＡｍｐＲｔｉは少なくとも１つの特定の時間間隔を測定される。非制限的例として、振幅率は連続して、または５０マイクロ秒、５０マイクロ秒＋Ｘ（マイクロ秒）などのあらゆる時間間隔で測定される。但しＸはあらゆる整数である。
【００８２】
本発明の別の実施形態によれば、サンプリング周波数は４００００Ｈｚ以上である。
【００８３】
音声とは、あらゆる人間、動物またはあらゆる機械的デバイスもしくは受信機によって傍受されたときに、通常の可聴機構波の圧力および移動として、空気または水などの媒体を通して伝搬する振動であるとウィキペディアに表されているように、用語「音声」はあらゆる可聴の音響波と交換可能に本明細書で指す。音声は以下のパラメータ、すなわち音声レベル（音圧すなわちデシベル（ｄＢ）で測定できる、倍音成分、残響、音声周波数（Ｈｚ）、音声波長（フィートまたはメートル）、音調、音波振幅、音波速度（メートル毎秒またはフィート毎秒）、音波方向、音色、音波位相、音波形状、音波エンベロープ、および音波エネルギー（ジュール）の少なくとも１つを特徴とすることができることが、本発明の範疇である。前述のあらゆる特徴を使用して音声署名を画定することができる。
【００８４】
さらに音声減衰手段は、あらゆる騒音発生器によって発生された音声と異なる音声署名を発生することが、本発明の範疇である。したがって音声減衰手段が人間の可聴域の限度内で可聴不可能であるように、音声減衰手段は騒音発生器によって発生された音声を完全に減衰することができることに加えてまたは別法として、音声を完全に減衰でき、または音声特徴の少なくとも１つを減衰でき、したがって新しい音声署名が生成される。
【００８５】
用語「騒音」は、周波数スペクトル（Ｈｚ）、強度（ｄＢ）、および持続時間の用語に定義したあらゆる不要な音声と交換可能に本明細書で指す。騒音は定常状態、間欠的、衝撃間、または爆発的であることが可能である。一時的難聴は大きい騒音に曝された後に起きることがあり、一時的な閾値のシフト（すなわち可聴閾値のシフト）をもたらす。用語「騒音」はさらに調和音および／または非調和音、意図されたかつ／または意図されない、旋律、たたく音、激しく打つ音、（鳥や虫の）鳴き声、きしみ音、爆発音、ざわめき、耳障りな音、わめき声、騒ぎ、衝突音、エコー、泣き声、破裂音、唸り声、喧噪、発砲音、怒鳴り声、鳴り響く音、轟き、（猫などの）喚き声、金属音、ガタガタ音、爆轟、騒音、不協和音、不安な音、不安な状態の音、打ちつける音、噴火、金属音、悲嘆の声、絶叫、大混乱、（鐘などの）鳴り響き、大騒ぎ、ノックする音、射撃音、叫び声、（鳥などの）ガーガー鳴く声、甲高い音、ドンと当たる音、喚き叫ぶ声、怒鳴り声、音楽、またはそれぞれの単一または複数を含むそれらのあらゆる組合せなどを含む。
【００８６】
騒音は、断面の厚さ、視野、反復時間、およびエコー時間の低減によって増強される傾向がある。さらに騒音の特徴は空間依存性を有する。例えば騒音レベルは、磁気共鳴システムの穴部などの画定された空間内または保育器内の患者の位置の関数として１０ｄＢ程度だけ変化することができる。また患者の存在および大きさは音響騒音のレベルに影響を及ぼすことがある。空中の音響は空気を通って移動し、材料、組立体または仕切りを通って伝達されることが可能である。また音声は戸口の下を通過し、通気装置を通って障害物の上、下、周囲、および障害物を通ることができる。音声を望まない部屋に音声が達したとき、その音声は騒音になる。さらに騒音を残響および反射によって長くなり倍増することができる。
【００８７】
加えてまたは別法として、騒音は、以下の少なくとも１つ、すなわち医療デバイスの作動、モータと連通した保育器、取り付けられた医療デバイスに由来する騒音、生命維持機器、通気機構、温度調節システム、空気濾過システム、加湿器、磁気共鳴コイル内の電流の急速な変化、外部警報、外部の言語音声、保育器の開閉、保育器付近の器具の取り扱いなどから生じる可能性がある。
【００８８】
用語「音声減衰手段」は、騒音を含む一般および特殊な音声を減衰または抑制するように構成されたあらゆる手段と交換可能に本明細書で指す。これらの手段は、受動的音声減衰器、能動的音声減衰器、およびハイブリッド音声減衰器を含む。
【００８９】
用語「受動的音声減衰器」または「受動的音響減衰器」は、特殊な周波数、音声吸収材料およびライニング、絶縁パッド、音声遮蔽板、ベーストラップ、拡散器、音声反射板、共鳴器、およびそれらのあらゆる組合せのために設計された共鳴器などと交換可能に本明細書で指す。使用される受動的音声吸収材料は、保育器と（保育器内部から、保育器の上部に、保育器の少なくとも一部を包囲して、保育器の内容積の少なくとも一部に沿ってなどで）連結させる、騒音発生器に隣接させる、能動的音声減衰器などの少なくとも１つの他の音声減衰手段に連結させる、またそれらのあらゆる組合せで組み込むことができ、それらを通って音声が移動するように媒体自体の中に消散する音声エネルギーの少なくとも一部を有する。吸収材料は、一般にマット加工の繊維または紡糸繊維に形成された多孔材料などであることが可能である。一般的な多孔吸収体は空気を細胞組織の中に通すことができ、その構造内で音声エネルギーは熱に変換される。これらは、厚い層の布またはカーペット、噴霧を施したセルロース、気泡石膏、繊維状ミネラルウールおよびガラス繊維、開細胞の泡沫体、ならびにフェルト状または鋳造多孔天井タイルを含むことができる。また共鳴器は音声も吸収でき、これは閉じ込められた空気の閉囲された容積に連結された孔またはスロットによって生成される。さらにあらゆる音響絶縁材料を利用することができる。厚さは多孔材料による音声吸収に重要な役割を果たす。他の吸収体はパネル吸収体である。通常パネル吸収体は、隣接した空気分子によって及ぼされる音圧に応答して、撓みモードで振動する空域の上に置かれた非剛体の非多孔材料、例えば枠組み、軽量の不通気性天井および床、ガラスならびに音声に応答して共鳴できる他の大きい表面の上にパネルを張る薄い木材である。
【００９０】
また用語「受動的音声減衰手段」は、内部環境をその周辺環境から絶縁するように構成された受動的パッド状の音響封止と、受動的音響拡散器と、音波が同じ音波と（エネルギーを反射するのと反対に）衝突するときに、音声エネルギーを吸収することにより音響騒音を低減するように構成された受動的吸収音響面（音響発泡体、ラグなど）とを指し、その中で吸収されたエネルギーの一部を熱に変え、一部を伝達し、それらを組み合わせる。
【００９１】
また用語「受動的減衰手段」は以下の手段および方法、すなわち
（ａ）レンガ、厚いガラス、コンクリート、金属などの質量障壁の導入により騒音の伝達を防止する、音声絶縁体と、
（ｂ）分離された鉛系タイル、開いた細胞発泡体および繊維ガラスなどの、材料内部で音声エネルギーを熱に変えることにより、「騒音スポンジ」として作用する多孔材料である、音声吸収体と、
（ｃ）大きい振動面に適用可能な振動減衰体であって、減衰機構は薄いシートから振動エネルギーを抽出し、その振動エネルギーを熱として消散させることにより作用する、音声を消滅される鋼などの、振動減衰体と、
（ｄ）可撓性要素または物理的崩壊を導くことによりソースから受信機に振動エネルギーの伝達を防止する、バネ、ゴムマウント、コルクなどの、振動絶縁体とを指し、さらにこれも充分に本発明の範疇である。
【００９２】
用語「音響絶縁材料」または「音声絶縁パッド」は、音声を吸収する、音声の障壁として作用する、またはその両方の能力をもつあらゆる材料と交換可能に本明細書で指す。これは非限定的な方法で、コルク、ウール、綿、アマモ、繊維ガラス、ガラスウール、木材、紙、コバルトキルト、サトウキビ、含水硫酸カルシウム、ＰＯＰ、コイア、プラスチック、ＰＶＣ、穴あき金属、鉱物繊維板、またはマイクロ、サーモコール、ポリウレタン、ジュート、マイラーフィルム、メラミン、ゴム、ロックウール、セルロース、ポリスチレン、ポリエチレン、ポリエステル、金属、再生利用された際のあらゆるこれらの材料などの材料を指すことができる。さらに音響材料は、シート、繊維、タイル、ブランケット、発泡体、ラグ、カーペット、ドレープ、カーテン、パネル、ボード、あらゆる成形された形状、ロッド、ブロック、ビーズ、ストロー様、砂利様の粒子、「予め組み立てられたパネル」と呼ばれるものを生成するために基板の周囲を巻くことができる繊維、およびそれらのあらゆる組合せなどの１つまたは複数の形であることが可能である。加えてまたは別法として、絶縁材料を複合発泡体から少なくとも部分的に構築することができ、これらは、特定の適用タイプに対して高められた性能を生成するために、異なる面または発泡体を一緒に重ねることにより作成された音響発泡体である。複合発泡体は、音声遮断および音声吸収の両方の能力を提供するような、同時に２つ以上の音響要件を満たすことができる。これらは開いた、また閉じた細胞発泡体である。加えてまたは別法として、前述の材料のすべては少なくとも一部が多孔であることが可能である。加えてまたは別法として、前述の材料のすべてを耐火材料と組み合わせることができる。
【００９３】
用語「共鳴器」は、通常狭い周波数域の音声を吸収するために作用するように構成された構成と交換可能に本明細書で指す。共鳴器は一部の穿孔された材料および開口（孔およびスロット）を有する材料を含む。瓶の形状を有するヘルムホルツ共鳴器など。共鳴周波数は、開口の大きさ、首の長さ、およびチャンバ内に捕捉された空気の容量によって左右される。通常、穿孔された材料は、できる限り音響を透過するように面を設計する特別な対処が取られていない限り、中間周波数域のみを吸収する。
【００９４】
用語「ベーストラップ」は、低周波数音声エネルギーを弱めるように設計され、室内の低周波数（ＬＦ）共鳴を低減することにより平坦なＬＦ室を獲得することを目的とする、音響エネルギー吸収体と交換可能に本明細書で指す。他の音響吸収デバイスと類似して、音響エネルギー吸収体は摩擦を通して音声エネルギーを熱に変えることによって機能する。概して２つのタイプのベーストラップ、すなわち共鳴吸収体および多孔吸収体がある。本質的に共鳴吸収体は狭帯域の活動（狭域の音声周波数のみを吸収する）に向かう傾向があり、多孔吸収体は広帯域の活動（可聴帯域に亘すべての音声、すなわち低周波数、中周波数、および高周波数を吸収する）に向かう傾向があるが、どちらのタイプもそれらの吸収活動をより狭く、またはより広く変更することができる。共鳴するタイプのベーストラップの例には、ヘルムホルツ共鳴器、および音声が生じたときに室内の空気と共鳴して自由に振動するダイヤフラム型要素または部材に基づいたデバイスが含まれる。共鳴するタイプのベーストラップは、デバイスの一部の自由要素が部屋の空気容積と共鳴して振動することにより音声の吸収を達成する。共鳴するデバイス内のこのような自由要素は、ヘルムホルツ共鳴器内部に捕捉された空気容積、またはその縁部のみによって保持された薄い木材パネル（ダイヤフラム型吸収体の型）などの多くの形で現れることができる。共鳴する吸収体は、固い壁の容器（例えばガラス瓶）または音声が衝突することにより振動を誘発されやすいように充分に固いあらゆる部材のいずれかを形成できる、ほとんどあらゆる材料から作成することができる。
【００９５】
用語「拡散」は、それによって音声エネルギーが所与の環境において一様に広がる有効性を指すことが、本発明の範疇である。完全に拡散する音声空間は、空間内のいかなる場所でも同じである、ある特定のキー音響特性を有する空間であると、ウィキペディアに定義されている。非拡散音声空間は、聴取者が室内を動き回ると、著しく異なる残響を有するはずである。実際にすべての空間は非核酸である。高い非拡散の空間は、音響吸収が空間中で不均一に分配される空間、または２つの異なる音響量が結合される空間である。音場の拡散性を、室内の多くの点における残響時間の測定結果を取ることによって測定することができ、次いでこれらの減衰時間における標準偏差を取ることができる。別法として、音声の空間分布を調べることができる。小さい音声空間は部屋の様式に起因して低周波数では拡散特徴が非常に乏しい。
【００９６】
さらに本発明の範疇において、「拡散器（ｄｉｆｆｕｓｏｒ）」および「拡散器（ｄｉｆｆｕｓｅｒ）」は、エコーなどの医療デバイス内の音声異常を処理するための手段を定義するために本明細書では交換可能に使用される。ウィキペディアに表されているように、拡散器は音声エネルギーを除去しないので、拡散器は音声の吸収に優れた代替手段または補完手段であるが、明らかなエコーおよび反射を効果的に低減するために使用できる一方で、依然として生の音声空間を残す。ほとんどのエネルギーを入射角と等しい角度で反射させる反射面に比べて、拡散器は音声エネルギーを多くの方向に放射させ、それゆえにより多くの拡散音響空間をもたらす。また拡散器は空間だけでなく時間の反射も広げることが重要である。拡散器は音声拡散を支援することができるが、このために拡散器が多くの場合に使用されるわけではなく、拡散器は着色およびエコーを除去するためにより多く使用される。また用語「拡散器」は、ＭＬＳ拡散器、１０００Ｈｚの平方剰余拡散器、原始根拡散器、最適化拡散器、二次元（「半球」）拡散器などにも関する。
【００９７】
用語「音声反射板」は、ｄＢ（デシベル）で測定される空気伝達音声の強度（レベル）を低減する構造またはデバイスと交換可能に本明細書で指す。音声反射板は、騒音または残響の最小化を実施するための騒音緩和の基本ツールである。音声反射板の重要なタイプは騒音障壁／音声遮蔽板である。また音声反射板は建物内部の壁および天井に貼り付けられて、音声エネルギーを吸収し、ひいては残響音を少なくする。これらには、非制限的例として、波形反射板、繊維で覆われた反射板、カーテン反射板、パネル反射板などが含まれる。
【００９８】
用語「能動的音声減衰器」または「能動的音声収集デバイス」は、音声を減衰するためにエネルギーを投与するものである、あらゆるデバイスまたは機構と交換可能に本明細書で指す。非制限的例として、騒音削除としても公知の能動的騒音制御（ＡＮＣ）または能動的騒音減衰（ＡＮＲ）は、第１の音声を削除するように特に設計された第２の音声の追加により、不要な音声を低減するための方法である。例えばアクチュエータスピーカを使用するなど、騒音の二次源を使用して相殺干渉を生成するデバイス。ウィキペディアに表されているように、音声は圧縮位相および希薄位相からなる圧力波であるので、これは別の波によってもたらされる可能性がある。騒音削除スピーカは、元の音声と同じ振幅だが反対の位相（逆位相としても公知である）をもつ音波を発する。音波は干渉と呼ばれる過程で新しい波を形成するために組み合わされ、効果的に互いを削除する。この効果は位相削除と呼ばれる。一部の能動的音声収集デバイスは、様々な場所で音声センサから受信した情報を利用する能動的フィードバック機構を使用し、受信した特定の周波数および音声レベルに応答する。能動的音声制御機構を、振幅、周波数、速度、音声レベルなどの音声特徴を発するシステム内で効果的に利用することができ、計算することができる。能動的音声減衰の別の手段は音声抑制システムであることが可能である。能動的騒音制御の他の手段は、アナログ回路またはデジタル信号処理を使用するものである。適応可能なアルゴリズムは背景の聴覚または非聴覚騒音の波形を分析するように設計され、次いで特定のアルゴリズムに基づいて元の信号の極性を位相シフトするか、または逆転させる信号を発生する。この逆転された信号（逆位相における）は次いで増幅され、変換器は元の波形の振幅に正比例した音波を生成し、相殺干渉を生成する。これは知覚可能な騒音の音量を効果的に低減させる。
【００９９】
本発明の別の実施形態によれば、音声減衰モジュールは少なくとも１つの騒音削除スピーカを備える。加えてまたは別法として、スピーカは以下の特徴の少なくとも１つを含む、すなわち（ａ）騒音削除スピーカまたは音声マスキングスピーカは、減衰される音源と同一場所に配置される、（ｂ）騒音削除スピーカまたは音声マスキングスピーカは、騒音源とほぼ同じ音響出力レベルを発するように構成される。
【０１００】
本発明の別の実施形態によれば、音声減衰モジュールは、削除信号を発するように構成された少なくとも１つの変換器を備える。加えてまたは別法として、少なくとも１つの変換器は、騒音源に隣接して、保育器の内部環境に、新生児の頭部付近に、またはそれらのあらゆる組合せに配置される。別法として、少なくとも１つの変換器は音声減衰が望ましい場所に配置される。
【０１０１】
本発明の別の実施形態によれば、音声減衰モジュールは、音声を効果的に削除または低減するように構成された複数の信号発生スピーカ、および画定された空間で複数の場所の音声特徴のフィードバックを提供する複数の音声センサを備え、さらに複数のスピーカおよびセンサは、既定のパラメータ、およびセンサによって受信されたフィードバックに従って音声の低減または削除を反応的に制御するように構成された、ＣＰＵ、ＣＲＭ、またはその両方と連通する。これは不要な音声の三次元波面として特に有利であり、削除信号は建設的干渉および相殺干渉の帯域を整合させ交互に生成し、一部の場所では騒音を低減させる一方で他の場所では騒音を倍増させる。さらに予期しない音声反射および残響は、音声の削除または低減を変えることができ、フィードバック機構の必要性を強調する。加えてまたは別法として、音声減衰モジュールは、所望された音声減衰を達成するために能動的音声減衰器と一緒に作動するように構成された、受動的音声減衰器手段をさらに備える。
【０１０２】
用語「音声マスキング」は、音響マスキングを使用することにより不要な音声を覆い隠すために、環境に自然音および人工音（ホワイト騒音またはピンク騒音など）の追加と交換可能に本明細書で指す。ウィキペディアに表されているように、これは能動的音声制御の技法と対照的をなす。音声マスキングは所与の領域内の既存の音声の認識を低減または除去し、作業環境をより快適にすることができる一方で、スピーチプライバシーを生成するので作業者はより良好に集中でき、より生産性が上がる。また音声マスキングを屋外で使用して、より自然な周囲環境を復元することができる。音声マスキングは気を散らす音声を落ち着かせる音声がより多く、またはより少ない嵌入音で覆う過程と類似している。音声マスキングは、一定の背景レベルと会話および他の音声の両方に関連した一過性のレベルとの差を低減しなければならない。このことが遂行されると意欲および生産性が高まる。マスキングする音声自体が急速に変わってはならず、できる限り無意味であるべきである。非制限的例として、マスキングは、ホワイト騒音、ピンク騒音、ブルー騒音、グレー騒音、ブラウン騒音、バイオレット騒音、自然由来の反復騒音（波の音など）、音楽、発話、およびそれらのあらゆる組合せなどの音響騒音信号の発生によって獲得できる。加えてまたは別法として、騒音信号を既定の時間に亘って繰り返す、あるいは断続的に、連続的にまたはあらゆるパターンもしくは異なる種類の組合せで施すことができる。
【０１０３】
用語「ハイブリッド音声減衰手段」は、音声低減を達成するために能動的および受動的要素の両方を利用する手段またはシステム、ならびに調節可能なヘルムホルツ共鳴器などの動作周波数の帯域に亘る最適な騒音減衰を達成するためにパラメータを変更できる受動的デバイスを使用する、適応可能な受動的システムと交換可能に本明細書で指す。非制限的例として、「Ａｉｒ  ｔｒａｎｓｐａｒｅｎｔ  ｓｏｕｎｄｐｒｏｏｆ  ｗｉｎｄｏｗ」、ａｒＸｉｖ：  １３０７．０３０１  ［ｃｏｎｄ−ｍａｔ．ｍｔｒｌ−ｓｃｉ］  ａｒｘｉｖ．ｏｒｇ／ａｂｓ／１３０７．０３０１，  ｈｔｔｐ：／／ｐｈｙｓ．ｏｒｇ／ｎｅｗｓ／２０１３−０７−ｍａｔｅｒｉａｌｓ−ｓｃｉｅｎｔｉｓｔｓ−ｗｉｎｄｏｗ−ｍｕｔｅｓ−ａｉｒ．ｈｔｍｌ＃ｊＣｐが当技術分野に開示されており、空気を通すことができるが、個々の共鳴器の中心に集中した多くの孔を備えた回析タイプの共鳴器の三次元のアレイからなる、音声を捕捉し減衰するように構成された特別のチャンバおよび孔を設計することにより、伝達された音声を３５ｄＢまで下げる画面を説明している。さらに研究者らは、孔の大きさを変えることにより異なる周波数を弱めることができると言及している。
【０１０４】
新生児を収納するために適合するエンベロープを備え、少なくとも１つの気流開口を備え、開口は音声を減衰するように構成された少なくとも１つの共鳴器を備える、保育器もさらに本発明の範疇である。加えてまたは別法として、エンベロープはｈで表される高さを有する容積を備え、好ましくはミリメートルで測定される。ｈの値は一定であることも、または医療デバイス全体を通して変化することも可能である。この容積の少なくとも一部に共鳴器および減衰器を実装することができる。さらにこの容積を穿孔の周囲に位置する音声吸収材料で充填することができる。
【０１０５】
用語「音声遮蔽板」は、あらゆる音声障壁もしくは音声反射パネル、音声吸収パネル、画面、反射板、または患者に届く音声を低くするように構成されたそれらのあらゆる単一もしくは複数の組合せと交換可能に以下で指す。
【０１０６】
用語「残響」は、残響と呼ばれる連続した複数の反射によってもたらされた室内の音声の延長と交換可能に本明細書で指す。これは、音声が聞き取れなくなりエネルギーの放出を停止する時間中に少なくとも一部の閉囲された空間内で起きる可能性がある。部屋の表面の反射が高いときは、音声は反射または残響を続ける。この条件の効果は長い残響時間を有する生活空間と言われている。高い残響時間は空間内に騒音レベルを構築させる。
【０１０７】
用語「反射」は、音声が受信器に届く前に少なくとも１つの表面または対象から跳ね返る現象と交換可能に本明細書で指す。これらの反射は、不要なまたは悲惨な結果さえ有する可能性がある。反射する隅または先鋭の天井は「メガホン」効果を生成することにより、反射および騒々しい空間で不快にさせる可能性がある。反射する平行面はそれら自体が定在波と呼ばれる独自の音響問題に役立ち、２つの面の間に音声の「フラッタリング」を生みだす。定在波は、心地良い感覚または不快な感覚と聞こえる自然共鳴を生成する可能性がある。反射は空間の形状ならびに表面上の材料に起因する可能性がある。半球体および凹面は、不快な音声反射をもたらす可能性がある分散した反射より、むしろ集中した反射をもたらす。吸収性の面処理は、残響および反射問題の両方を除去する役に立つことができる。
【０１０８】
用語「ＮＲＣ」すなわち「騒音減衰係数」は、４オクターブ帯域の中心周波数に亘る平均吸収を表す材料／製品の特長と交換可能に本明細書で指す。（２５０Ｈｚ、５００Ｈｚ、１０００Ｈｚ、２０００Ｈｚ）。ＮＲＣ０．７５の製品はこれに衝突する音声エネルギーの約７５％を吸収すると概算することができる。最高レベルはＮＲＣ１．０である。実質的にこれは概算でほぼ５％になる中周波数の吸収率の平均であり、高周波数および低周波数を含まない。
【０１０９】
用語「ＳＴＣ」すなわち「音響透過クラス」は、材料および／または製品の透過損失の割合の数と交換可能に本明細書で指す。これは周波数１２５〜４０００Ｈｚで空気音の伝達に抵抗することができる材料または組立体の単数の率である。実質的にこれは材料の障壁能力の質を指す。概してより高いＳＴＣ率をもつ材料／製品は、仕切りを通って透過からの騒音をより多く遮断する。ＳＴＣは仕切りの構造に大きく依存する。質量を追加する、空域を増加または追加する、仕切り内に吸収材料を追加するなどにより、仕切りのＳＴＣを増加させることができる。仕切りは、１２５〜４０００Ｈｚの間で１６個の異なる周波数域に亘るその透過損失を測定することによりＳＴＣ率が与えられる。ＳＴＣ率は低周波数の音声伝達を評価しない。ドア、窓、壁、床などは騒音をどの程度通過させるかを決定するために試験される。
【０１１０】
用語「約」は、所与の値を中心にプラスまたはマイナス２０％までの相違と交換可能に本明細書で指す。
【０１１１】
用語「患者の配置」は、患者、例えば新生児を受容するように構成された医療デバイスの内部容積内のあらゆる場所と交換可能に本明細書で指す。加えてまたは別法として、この場所はベッド、拘束部、マットレス、凹形状、枕、人間工学的形状、ベルト、ストラップ、平面、少なくとも一部が可撓性の面、使い捨て可能な部分、殺菌可能な部分、閉込め手段、およびそれらのあらゆる組合せを備えることができる。
【０１１２】
用語「流体連通」は、物質（気体、流体または個体）が２つの対象の間を１方向に流れることができる、２つの対象の間の連通を以下で指す。
【０１１３】
用語「通気モジュール」は、空気を循環させ、かつ空気を均一にまたは画定された方向に分配させるモジュールを以下で指す。より具体的には、ファン、噴射器、送風機、圧縮器、ポンプ、エアストリーマ、プロペラ、通気装置、室内冷風機、軸流ファン、遠心ファン、横流ファン、コアンダ効果を使用して発生される気流などを指す。
【０１１４】
用語「新生児」は、患者、新生児、乳児、まだ歩けない幼児、よちよち歩きの幼児、小児、青年、成人、高齢者、患者、個人、被験者、入院患者、被災者、外来患者、症例、クライアントなどを以下で本明細書では交換可能に指し、さらにこの用語は人、動物、もしくはサンプルを全体として、またはそれらの一部を指す。
【０１１５】
用語「新生児の動揺パラメータ」は、新生児の好ましくない反応を示すとして当技術分野で公知のあらゆるパラメータと交換可能に本明細書で指す。非制限的例として、これは、Ｗｉｌｌｌａｍｓらにより２００９年に示され、Ｓｃｈｕｌｍａｎらにより１９６９年に示された）新生児の心拍の加速もしくは減速、（ＪｕｒｋｏｖｉｃｏｖａおよびＡｇｈｏｖａらにより１９８９年に示された）血圧の上昇、（ＷｈａｒｒａｄおよびＤａｖｉｓらにより１９９７に示され、Ｌｏｎｇらにより１９８０年に示された）呼吸パターンの変化、または（ＺａｈｒおよびＢａｌｉａｎらにより１９９５年に示された）異なる酸素飽和度、標準的な平均を基準とした新生児の過剰な動きもしくは動きの低減、脳のパターンの変化、標準的な平均より多い号泣、睡眠パターンもしくは哺乳パターンの中断もしくは変化などであることが可能である。加えてまたは別法として、アンダーソン行動尺度を使用して、Ａｎｄｅｒｓｏｎらにより１９９０年に示された行動および睡眠状態を評価することができ、さらにＨｕｏｔｉｌａｉｎｎｅｎらにより２００３年に示され、Ｃｈｅｏｕｒらにより１９９８年、２００２年に示された）磁気画像、ＥＥＧなどの技法は、新生児の反応に対して信頼できる想定結果であることが示されてきた。
【０１１６】
用語「透明材料」は、ポリメチルメタクリレート、熱可塑性ポリウレタン、ポリエチレン、ポリエチレンテレフタレート、イソフタル酸変性ポリエチレンテレフタレート、グリコール変性ポリエチレンテレフタレート、ポリプロピレン、ポリスチレン、アクリル、ポリアセテート、セルロースアセテート、ポリカーボネート、ナイロン、ガラス、ポリ塩化ビニルなどと交換可能に以下で指す。さらに一部の実施形態では、この材料の少なくとも一部は、金属線などの強度および／または伝導性の手段に対して不透明な材料に埋め込まれる。
【０１１７】
用語「センサ」は、信号または刺激（熱、圧力、光、動き、音声、湿度など）を受信し、それに特殊な方法で応答する、あらゆるデバイスと交換可能に以下で指す。この方法は、他のデバイスの活動／不活動を含む、（可視、可聴または知覚可能な）インジケータの活動／不活動を含む、センサによって受信された入力表示装置を含む、中央処理装置における入力のデータ記憶／分析を含むことなどであることが可能である。
【０１１８】
用語「生命維持機器」は、環境条件、医療条件、あるいは新生児の生命を持続することおよび／もしくは新生児の物理的および生理学的健康がより良好であることを支援する、それらの環境または医療条件を監視することを提供する、あらゆる要素と交換可能に以下で指す。この要素は、（ａ）患者に関連した医療従事者によって使用されるすべてのデバイス、チューブ、連結具、線、液体キャリア、針、センサ、モニタなどのあらゆる医療機器であって、この機器はビリルビン光、ＩＶ（静脈）ポンプ、頭部フードもしくは鼻カニューラによる酸素補給システム、連続した気道陽圧システム、栄養チューブ、臍帯脈カテーテル、流体輸送デバイス、血液濾過システム、血液透析システム、ＭＲＩ造影剤注入、新生児の撮像などである、あらゆる医療機器、（ｂ）温度、呼吸、心臓機能、酸素供給、ＥＣＧ（心電図）モニタなどの脳活動、血圧モニタ、心肺停止モニタ、パルスオキシメーターの医療測定および観察システム（センサおよび／またはモニタを含む）、ならびに（ｃ）通気装置、空調装置、加湿器、温度調節器、温度制御システム、騒音抑制デバイス、振動抑制デバイスなどおよびそれらのあらゆる組合せの環境制御システムであることが可能である。
【０１１９】
用語「医療機器チューブ」は、生命維持機器、医療機器または物理的環境整備もしくは監視に連結して使用される、すべてのチューブ、ケーブル、連結具、線、液体キャリア、気体キャリア、電線、監視ケーブル、視覚ケーブルと交換可能に以下で指す。
【０１２０】
用語「生命パラメータ」は、生命もしくは／および健康のインジケータとして使用できる、新生児のあらゆる測定可能な値またはパラメータと交換可能に本明細書で指す。このパラメータを、遠方から視覚システム、監視システム、超音波技術、医療機器、遠方からのカメラによって、または連結されたセンサにより新生児に物理的に接触することによって検出することができる。このパラメータは、温度、心臓血管の活動（心拍、血圧、呼吸数など）、血液酸素化、動き、脳活動などである。
【０１２１】
用語「ＣＰＵ」、中央処理装置は、システムの基本演算操作、論理操作、および入力／出力操作を行うことにより、コンピュータプログラムの命令を実行するコンピュータ内のハードウェアと交換可能に以下で指す。本発明の実施形態によれば、ＣＰＵを、少なくとも１つのＣＲＭ、ユーザインターフェース、少なくとも１つのセンサ、少なくとも１つのインジケータ、少なくとも１つの通気モジュール、少なくとも１つの温度調節通気口、少なくとも１つのエアフィルタ、少なくとも１つの音声フィルタ、少なくとも１つの加湿器、少なくとも１つの空調機構、生命維持装置、制御パネル、監視デバイス、視覚もしくは撮影デバイスなど、電力を通気口、抑制板、後ろに倒すことができる新生児拘束手段、保育器内の少なくとも１つの開口の封止などの動きに変換するように構成された少なくとも１つのエンジンなどに連結することができ、したがって本発明の様々な態様を通してユーザに監視および／または制御をさせる。
【０１２２】
用語「コンピュータ可読媒体」、（ＣＲＭ）は、機械的デバイスにより可読のフォーマット内にデータを記憶できる媒体（人間の可読よりむしろ自動データ媒体）と交換可能に以下で指す。機械可読媒体の例には、磁気ディスク、カード、テープ、ならびにドラム、パンチカードおよび紙テープ、光ディスク、バーコードおよび磁気インク文字などの磁気媒体が含まれる。一般的な機械可読技術は、磁気記録、処理波形、およびバーコードを含む。あらゆる形のエネルギーによって回復可能なあらゆる情報は機械で読み取ることができる。
【０１２３】
用語「複数」は、１つおよび／または２つ以上と交換可能に本明細書で指す。
【０１２４】
本発明の一実施形態によれば、騒音減衰新生児保育器（ＮＡＮＩ）は、ＡｍｐＲａｔｔｉをＡｍｐＲＱＶΔｔ以下に下げるように構成された音声減衰モジュール（ＳＡＭ）を備える。ＮＡＮＩは１つまたは複数のＳＡＭを備えることができる。それぞれのＳＡＭは１つまたは複数の音声減衰器を保持することができ、音声減衰器は音声を減衰することができるか、または絶縁パッド、音声遮蔽板、音声反射板、音声拡散器、音声吸収体、ベーストラップ、共鳴器などの受動的音声減衰手段により音声署名を少なくとも変更させることができる。また受動的音声減衰手段は、少なくとも部分的に積層構造の形を表すことができる。ＳＡＭの別の任意選択は、能動的または受動的減衰手段を利用して能動的および受動的音声減衰器を備えることである。別の任意選択は能動的減衰手段のみである。
【０１２５】
本発明の別の実施形態によれば、騒音減衰新生児保育器（ＮＡＮＩ）は、時間ｔｉにおける音声振幅率（ＡｍｐＲａｔｔｉ）を所定時間Δｔに亘って測定された音声の臨界振幅率値（ＡｍｐＲＱＶΔｔ）以下に下げるように構成され、音声減衰モジュール（ＳＡＭ）は、（ａ）保育器内で時間ｔｉにおける音声振幅率（ＡｍｐＲａｔｔｉ）を連続的にサンプリングするように構成された、ＣＲＭと連通する少なくとも１つの音声センサと、（ｂ）所定時間Δｔに亘って測定された音声の臨界振幅率値（ＡｍｐＲＱＶΔｔ）および時間ｔｉにおける音声振幅率（ＡｍｐＲａｔｔｉ）を記憶するための少なくとも１つのＣＲＭと、（ｃ）ＡｍｐＲａｔｔｉ＜ＡｍｐＲａｔＱＶΔｔであるように、ＡｍｐＲａｔｔｉ＞ＡｍｐＲＱＶΔｔである場合、時間ｔｉにおける音声振幅率（ＡｍｐＲａｔｔｉ）を下げるためにＣＲＭと連通する少なくとも１つの音声減衰器とを備え、所定時間Δｔに亘って測定された音声の臨界振幅率値ＡｍｐＲａｔＱＶΔｔ＜約１７８．８Δｔである。
【０１２６】
振幅率１７８．８は約４５ｄＢに等しいことが当技術分野では公知である。
【０１２７】
本発明の別の実施形態によれば、上に定義されたようなＮＡＮＩが開示され、ＳＡＭはＡｍｐＲｔｉをＡｍｐＲＱＶΔｔ以下に下げるように構成される。
【０１２８】
加えてまたは別法として、あらゆる音声特徴は、音声レベル、音調、倍音成分、残響、音声周波数、音声波長、音波振幅、音波速度、音波方向、音波エネルギー、音波位相、音波形状、音波エンベロープ、音声音色などのＣＲＭによって測定かつ／または記憶される。加えてまたは別法として、ＣＲＭは、特定に既定された騒音から背景騒音を区別し、所望の騒音のみを減衰するように構成される。
【０１２９】
本発明の別の実施形態によれば、ＳＡＭは、４５ｄＢ、５０ｄＢ、６０ｄＢおよびそれらのあらゆる組合せからなる群から選択されたものに亘るあらゆる音声レベルを減衰するように構成される。
【０１３０】
本発明の別の実施形態によれば、ＳＡＭは、１００ΔｔＡｍｐＲ、１７８．８ＡｍｐＲΔｔ、３１６．２ＡｍｐＲΔｔ，  １０００ＡｍｐＲΔｔまたはそれらのあらゆる組合せからなる群から選択されたものに亘るあらゆる音声レベルを減衰するように構成される。
【０１３１】
本発明の別の実施形態によれば、ＳＡＭは、音声が音声レベル、音調、倍音成分、残響、音声周波数、音声波長、音波振幅、音波速度、音波方向、音波エネルギー、音波位相、音波形状、音波エンベロープ、音声音色およびそれらのあらゆる組合せからなる群から選択された少なくとも１つの異なる音声特徴からなるように、保育器内の音声を修正するように構成される。
【０１３２】
本発明の別の実施形態によれば、ＳＡＭは、５０マイクロ秒を超える、１ミリ秒を超える、０．１秒を超える、１秒を超える、２秒、３秒、４秒、５秒、１０秒、２０秒、３０秒、４０秒、５０秒、６０秒、２分、３分、４分、５分、５分を超える、およびそれらのあらゆる組合せの間持続する既定のレベルを超えるあらゆる音声レベルを減衰するように構成される。
【０１３３】
本発明の別の実施形態によれば、上に定義されたようなＮＡＮＩが開示され、センサは、少なくとも１つのインジケータ、少なくとも１つのユーザインターフェース、少なくとも１つの警報システム、少なくとも１つのＣＰＵ、およびそれらのあらゆる組合せからなる群から選択されたものとさらに連通される。加えてまたは別法として、ＣＲＭと連結されたＣＰＵは、保育器内の音声またはシステムの物理的状態を説明する状況報告を生成するように構成されることが可能である。さらにＣＰＵは、少なくとも１つのセンサによって検知された音声のプリセットパラメータに従って警報システムを始動させるように構成される。実施形態によれば、ＣＲＭを、携帯電話、遠隔コンピュータ、遠隔制御などによって遠隔制御することができる。
【０１３４】
本発明の別の実施形態によれば、上に定義されたようなＮＡＮＩが開示され、ＣＲＭは、少なくとも１つのセンサによって受信されたパラメータ、ユーザインターフェースを通して入力されたパラメータ、新生児医療機器から受信されたパラメータ、およびそれらのあらゆる組合せからなる群から選択されたものに従って音声減衰器を制御するように構成される。加えてまたは別法として、ＣＲＭは、特定の音声レベルおよび音声周波数に従って音声減衰器の出力を制御することができる。
【０１３５】
本発明の別の実施形態によれば、上に定義されたようなＮＡＮＩが開示され、ＣＲＭは、規定時間の音声減衰を区別するように構成される。例として、音声減衰は、夜間と日中、哺乳時間中、身体診察中などの音声署名を区別することができる。
【０１３６】
本発明の別の実施形態によれば、上に定義されたようなＮＡＮＩが開示され、ＣＲＭは、音声の経歴および新生児の反応を記録し記憶するように構成される。加えてまたは別法として、ＣＲＭは、最も新生児の動揺に相互関連する少なくとも１つの音声特徴を減衰するように構成される。
【０１３７】
本発明の別の実施形態によれば、上に定義されたようなＮＡＮＩが開示され、音声減衰器は、少なくとも１つの音響音声スピーカにより少なくとも１つの音響音声信号を発するように構成された、能動的音声マスキングシステムを備える。
【０１３８】
本発明の別の実施形態によれば、上に定義されたようなＮＡＮＩが開示され、少なくとも１つの音響音声信号は、ホワイト騒音、ピンク騒音、グレー騒音、ブラウン騒音、ブルー騒音、バイオレット騒音、およびそれらのあらゆる組合せからなる群から選択される。
【０１３９】
本発明の別の実施形態によれば、上に定義されたようなＮＡＮＩが開示され、音声減衰器は、相殺干渉発生器により騒音を削除するように構成された反応音響デバイスを備える。
【０１４０】
本発明の別の実施形態によれば、上に定義されたようなＮＡＮＩが開示され、ＳＡＭは、音声レベルを低減する、音声反射を低減する、音声残響を低減する、音声拡散を生成する、音声をマスキングする、音声を削除する、音声署名を変更する、およびそれらのあらゆる組合せからなる群から選択されたものにより騒音を減衰するように構成される。
【０１４１】
本発明の別の実施形態によれば、上に定義されたようなＮＡＮＩが開示され、ＳＡＭは、音声レベル、音調、倍音成分、残響、音声周波数、音声波長、音波振幅、音波速度、音波方向、音波エネルギー、音波位相、音波形状、音波エンベロープ、音声音色からなる群から選択された少なくとも１つの音声特徴を変更するように構成され、それによって異なる音声署名を発生する。
【０１４２】
本発明の別の実施形態によれば、上に定義されたようなＮＡＮＩが開示され、音声署名は、ユーザによって構成可能である、既定される、新生児の生命パラメータを基準に自動的に調節可能である、およびそれらのあらゆる組合せからなる群から選択される。
【０１４３】
本発明の別の実施形態によれば、上に定義されたようなＮＡＮＩが開示され、ＳＡＭは、能動的音声減衰手段、受動的音声減衰手段、ハイブリッド音声減衰手段、およびそれらのあらゆる組合せからなる群から選択された少なくとも１つの手段を備える。
【０１４４】
本発明の別の実施形態によれば、上に定義されたようなＮＡＮＩが開示され、少なくとも１つの受動的音声減衰手段は、少なくとも１つの音声吸収材料、少なくとも１つの共鳴器、少なくとも１つの音声遮蔽板、少なくとも１つのベーストラップ、少なくとも１つの音声反射板、少なくとも１つの拡散器、少なくとも１つの絶縁パッド、少なくとも１つの音声反射器、少なくとも１つの音声抑制器（ＳＭ）、およびそれらのあらゆる組合せからなる群から選択される。
【０１４５】
本発明の別の実施形態によれば、上に定義されたようなＮＡＮＩが開示され、ＳＡＭは、少なくとも１つの絶縁材料、少なくとも１つの封止材料、少なくとも１つの音声吸収材料、少なくとも１つの振動吸収材料、およびそれらのあらゆる組合せからなる群から選択された材料の少なくとも一部を備える、少なくとも１つの音声遮蔽板を備える。
【０１４６】
本発明の別の実施形態によれば、上に定義されたようなＮＡＮＩが開示され、ＳＡＭは、ＮＡＮＩ内で新生児の配置を隔離するように構成された少なくとも１つの絶縁パッドを備え、さらに絶縁体はＮＡＮＩ内にアクセスできるように構成された少なくとも１つの開口を備える。
【０１４７】
本発明の別の実施形態によれば、上に定義されたようなＮＡＮＩが開示され、絶縁体の少なくとも一部は、断熱材料、封止材料、発泡材料、難燃材料、少なくとも一部が透明な材料およびそれらのあらゆる組合せからなる群から選択された材料を備える。
【０１４８】
本発明の別の実施形態によれば、上に定義されたようなＮＡＮＩが開示され、絶縁体の少なくとも一部は、磁性、電磁干渉、物理的損傷およびそれらのあらゆる組合せからなる群から選択された保育器の少なくとも一部を遮蔽するための手段を備える。
【０１４９】
本発明の別の実施形態によれば、上に定義されたようなＮＡＮＩが開示され、絶縁体の少なくとも一部は、保育器の中への少なくとも１つの第１の孔、および内部に管を入れる通路に適合した、外部環境への少なくとも１つの孔を有する少なくとも１つの導管を備え、さらに導管は、０〜約１０００ＭＨｚ、０〜約５００ＭＨｚ、０〜約２００ＭＨｚおよびそれらのあらゆる組合せからなる群から選択された周波数の通路を減衰するように構成される。
【０１５０】
本発明の別の実施形態によれば、上に定義されたようなＮＡＮＩが開示され、ＳＡＭは、保育器に可逆的に取付け可能なモジュラー要素である。
【０１５１】
本発明の別の実施形態によれば、上に定義されたようなＮＡＮＩが開示され、ＳＡＭは、少なくとも１つの吸収面、少なくとも１つの音声拡散器、少なくとも１つの音声反射板、少なくとも１つの反射面、少なくとも１つの共鳴器、少なくとも１つの音声遮蔽板、新生児から離れた方向に向けられた場所、およびそれらのあらゆる組合せからなる群から選択されたものに騒音を方向付けるように構成された、少なくとも１つの音声反射器を備える。
【０１５２】
本発明の別の実施形態によれば、上に定義されたようなＮＡＮＩが開示され、保育器は、導管を通過する音声を抑制するように構成された少なくとも１つのＳＡＭを有する、少なくとも１つの導管をさらに備える。
【０１５３】
本発明の別の実施形態によれば、上に定義されたようなＮＡＮＩが開示され、ＳＡＭ、保育器、またはその両方はＭＲＩ安全材料から作成される。
【０１５４】
本発明の別の実施形態によれば、上に定義されたようなＮＡＮＩが開示され、保育器は、音声レベルセンサ、音声周波数センサ、音声方向センサ、音声振幅センサ、音調センサ、音声速度センサ、新生児の生命パラメータを検知するように構成されたセンサ、およびそれらのあらゆる組合せからなる群から選択された少なくとも１つのセンサをさらに備える。
【０１５５】
本発明の別の実施形態によれば、上に定義されたようなＮＡＮＩが開示され、ＳＡＭは、吸収材料、音声反射板、音声拡散器、能動的音声削除デバイスおよびそれらのあらゆる組合せからなる群から選択された少なくとも１つにより、内部容積内の音声の残響、音声の反射、またはその両方を低減するように構成される。
【０１５６】
本発明の別の実施形態によれば、上に定義されたようなＮＡＮＩが開示され、保育器は、空気が入るかつ／または出るように構成された少なくとも１の空気入口、空気出口、またはその両方をさらに備え、さらに少なくとも１の空気入口、空気出口、またはその両方は少なくとも１つのＳＡＭを備える。
【０１５７】
本発明の別の実施形態によれば、上に定義されたようなＮＡＮＩが開示され、保育器は、少なくとも１つのＳＡＭを備えるカート内に少なくとも一時的に収容される。
【０１５８】
本発明の別の実施形態によれば、上に定義されたようなＮＡＮＩが開示され、ＳＡＭは、少なくとも１つの音声減衰器内で組み合された能動的および受動的音声減衰手段を備える、ハイブリッド音声減衰手段を備える。
【０１５９】
本発明の別の実施形態によれば、上に定義されたようなＮＡＮＩが開示され、音声減衰手段は、吸収材料、音声反射板、音声拡散器、能動的音声削除デバイスおよびそれらのあらゆる組合せからなる群から選択された少なくとも１つにより、内部容積内の音声の残響、音声の反射、またはその両方を低減するように構成される。
【０１６０】
本発明の別の実施形態によれば、上に定義されたようなＮＡＮＩが開示され、音声減衰手段は、保育器内、保育器の外側、保育器の上部、患者から離れて、患者に隣接して、保育器の脇に、保育器から離れて、およびそれらのあらゆる組合せに配置される。
【０１６１】
本発明の一実施形態によれば、ＭＬＳ拡散器が使用される。拡散器に基づいた最長系列は、２つの異なる奥行をもつ材料のストリップから作成される。これらのストリップの配置はＭＬＳに続く。ストリップの幅は、最大散乱効果が望まれる周波数の波長の半分以下である。理想的な状況では、小さい垂直壁が低いストリップの間に置かれるべきであり、音声入射が正接である場合に散乱効果が向上する。これらのデバイスの帯域幅は、むしろ平面であるように挙動する設計周波数の１オクターブ上に限定される。
【０１６２】
本発明の別の実施形態によれば、平方剰余拡散器が使用される。本発明の別の実施形態によれば、１０００Ｈｚの平方剰余拡散器が使用される。拡散器に基づいたＭＳＬは多くの点で幾何学的拡散器より優れており、限定された帯域を有する。新しい目標は、より広い帯域をもつＭＬＳの卓越した拡散特性を組み合わせる、新しい表面幾何形状を発見することであった。平方剰余拡散器を、１つまたは２つの方向に音声を拡散するように設計することができる。
【０１６３】
本発明の別の実施形態によれば、原始根拡散器が使用される。原始根拡散器は多くの理論的序列に基づく。原始根拡散器は散乱応答にノッチを生成するが、実際にノッチは帯域が狭すぎるので有益ではない。性能に関して、原始根拡散器は平方剰余拡散器に非常に類似している。
【０１６４】
本発明の別の実施形態によれば、最適化された拡散器が使用される。数値の最適化を使用することにより、特に１周期毎に少数のウェルを備えた拡散器に対して理論的設計数を増やすことが可能である。しかし最適化の大きな利点は、建築形式とより良好に調和できる任意の形状を使用できることである。
【０１６５】
本発明の別の実施形態によれば、二次元（「半球」）拡散器が使用される。二次元拡散器はほとんどの拡散器のように「小さい室内に大きい音声」を生成するように設計されるが、他の拡散器とは違い二次元拡散器は半球パターン内で音声を散乱させる。これはグリッドの生成によって行われ、その空洞は、標準の拡散器のマトリクスに等しい、または比例した２つの二次数列の行列加算に従って変化する奥行のウェルを有する。これらの拡散器は、特にスタジオおよび制御室内の拡散器の方向を制御するために非常に有益である。
【０１６６】
次に保育器（１００）内に存在している新生児（１）を非制限的に一定の縮尺ではない方法で示す、図１を参照する。新生児（１）は外部（１０）から、または内部（１１）から生じる音声／騒音に曝される。また新生児（１）は保育器（１００）内の音声（１２）の残響および反射にも曝される。これらの音声（１２）により新生児（１）を悩ます、または害さえも与える可能性がある。
【０１６７】
次に新生児（１）を収容するように構成された保育器（１００）を非制限的に一定の縮尺ではない方法で示し、保育器（１００）は少なくとも１つのＳＡＭ、音声減衰モジュール（１５０）を備える、図２ａ〜図２ｅを参照する。音声減衰モジュール（１５０）は、受動的、能動的、またはそれらの組合せであることが可能である。図２ａでは、ＳＡＭ（１５０）は内部から保育器（１００）の天井に連結され、反射板、拡散器、共鳴器などの受動的音声減衰手段、または規定された反応としての能動的音声減衰手段、またはその両方であることが可能である。図２ｂは、新生児（１）を少なくとも一時的に収納する保育器（１００）と連結した２つ以上のＳＡＭ（１５０ａ、１５０ｂ）を示す。１５０ａは保育器（１００）の内壁に沿って支持され、保育器（１００）の内壁の少なくとも一部を覆うことができる。１５０ｂは、保育器（１００）の上部に置かれた音声減衰モジュール（１５０）の実施形態である。図２ｃは、保育器（１００）の外側に少なくともその一部を有し、保育器（１００）の内部に少なくともその一部を有する構成のＳＡＭ（１５０ａ）を示す。別の実施形態は、保育器（１００）の壁の内部に埋め込まれたＳＡＭであり、保育器（１００）の外側から少なくとも部分的にアクセス可能である。図２ｄは、ＳＡＭ（１５０）が保育器（１００）の壁の内部に少なくともその一部が埋め込まれ、保育器（１００）の正面を通って少なくとも部分的にアクセス可能である、別の実施形態を示す。図２ｅは、騒音抑制／音声減衰デバイス／ＳＡＭが保育器（１００）に物理的に連結しない遠隔場所に配置された、さらに別の実施形態を説明する。この実施形態は、相殺信号を音声に発生するように構成された少なくとも１つの変換器、ホワイト騒音、ピンク騒音、グレー騒音、ブラウン騒音、ブルー騒音、バイオレット騒音などの騒音に平行な音声を提供するように構成されたマスキングシステムを備える、能動的音声減衰手段を利用できる。一実施形態における減衰マスクは、旋律、音楽、またはこの目的のために発生されたあらゆる音声である。
【０１６８】
次に破線「Ａ」（図２ｅ）に沿って保育器面（図２ｅ４４）から見られる部分に示された、本発明の異なる実施形態を非制限的に一定の縮尺ではない方法で示す、図３ａ〜図３ｄを参照する。図３ａは、絶縁パッドの少なくともその一部を備える受動的音声減衰手段（１１０）、および能動的音声減衰手段（１５０）を備える保育器（１００）を示す。さらに保育器（１００）は、保育器（１００）内で音声を拡散できる少なくとも１つの拡散器（１７０）を保有する。図３ｂは、少なくとも１つのＳＡＭ（１５０）および音声マスクを発生する少なくとも１つの音声発生スピーカ（１５５）を有する保育器（１００）を示す。図３ｃは、保育器（１００）の内部環境を完全に覆い封止する絶縁パッドを有する、保育器（１００）の面を示す。さらに保育器（１００）は、ヒンジ（２００）、枢支点、軸回転点、接合部などに取り付けられたドア（２２０）によって開閉可能である。ドア（２２０）は、読取機もしくはＭＲＩなどの撮像装置を中断するか、またはあらゆる電気的機構および回路を中断できる一方で、生命維持管（３１０）を外部環境から保育器（１００）内部に通すことができる、ＲＦ周波数の通路を減衰させる少なくとも１つの導管（３００）をさらに備える。図３ｄは、さらに受動的に音声を減衰させるように構成され、新生児を収容するように適合された、内部エンベロープの少なくともその一部を覆う絶縁層をさらに備える、面側部（図２ｅ４４）から開いた保育器（１００）を示す。保育器（１００）は、少なくとも１つの共鳴器（１８５）、および音声を減衰するように構成された少なくとも１つの音声遮蔽板（１８０）をさらに備える。共鳴器（１８５）は受動的音声減衰器またはハイブリッド音声減衰器であることが可能である。一実施形態では、保育器（１００）は、ベーストラップ、または（保育器モータによって発せられた騒音は最高１２５Ｈｚのエネルギーであることがわかったと、ＳｅｌｅｎｙおよびＳｔｒｅｃｚｙｎによって１９６９年に開示された）保育器モータによって発せられた音声などの低周波数の音声を減衰するように構成された能動的もしくは受動的手段を備える。
【０１６９】
本発明の一実施形態を非制限的に一定の縮尺ではない方法で概略的に示す、図３ｅを参照する。この実施形態では、保育器（１００）は複数の層（１１０、１１１、１１２）を備える。加えてまたは別法として、各層は異なる大きさ、材料であることが可能であり、すべての音声を減衰させる質を網羅することが可能である。本発明の別の実施形態によれば、上に定義されたようなＮＡＮＩが開示され、ＳＡＭの少なくとも一部はｎ個の層を備え、さらにｎ個の層はそれぞれ新生児に面した内側、および新生児から外方を向いた反対側の外側を備える。
【０１７０】
本発明の別の実施形態によれば、上に定義されたようなＮＡＮＩが開示され、ｎ個の層は、それぞれ既定の騒音低減係数（ＮＲＣ）値、音響透過クラス（ＳＴＣ）値、またはその両方を含み、さらにＮＲＣ値、ＳＴＣ値、またはその両方はｎ個の層の１つのそれぞれに対して等しいかまたは異なることが可能である。
【０１７１】
本発明の別の実施形態によれば、上に定義されたようなＮＡＮＩが開示され、ｎ個の層の少なくとも２つは、ｎ個の層のそれぞれに対して騒音低減係数（ＮＲＣ）値を含み、それぞれの層は、層の外側で測定された少なくとも１つの音声レベルＳ（ｄＢ）、およびｄＳ１〜…ｄＳｎを有する層の内側で測定された少なくとも１つの第１の音声レベルＳ１（ｄＢ）を含み、ＳＡＭのｄＳはＳ１−Ｓｎと等しく、Ｓ１−Ｓｎ＜Ｓ１である。
【０１７２】
本発明の別の実施形態によれば、上に定義されたようなＮＡＮＩが開示され、ｎ個の層の少なくとも２つは、ｎ個の層のそれぞれに対して音響透過クラス（ＳＴＣ）値を含み、それぞれの層は、層の外側で測定された少なくとも１つの音声レベルＳ（ｄＢ）、およびｄＳ１〜…ｄＳｎを有する層の内側で測定された少なくとも１つの第１の音声レベルＳ１（ｄＢ）を含み、ＳＡＭのｄＳはＳ１−Ｓｎと等しく、Ｓ１−Ｓｎ＜Ｓ１である。
【０１７３】
本発明の別の実施形態によれば、上に定義されたようなＮＡＮＩが開示され、ＳＡＭは、（ａ）ｎ個の層の少なくとも１つから保育器までの空間Ｓ１、ｎ個の層のそれぞれの間の空間Ｓｎ、またはその両方と、（ｂ）層１〜ｎに対して測定されたＳＴＣ１（音響透過クラス）値と、（ｃ）ｎ個の層の少なくとも１つから保育器までの空間Ｓ１ａ、ｎ個の層のそれぞれの間の空間Ｓｎａ、またはその両方、および層１〜ｎに対して測定されたＳＴＣ２値を有するｎ個の層の少なくとも１つを結集するように構成されたｎ個の層の少なくとも１つに連結された結集手段とをさらに備え、Ｓ１＜Ｓ１ａ、Ｓｎ＜Ｓｎａ、またはその両方であり、ＳＴＣ１＜ＳＴＣ２である。
【０１７４】
本発明の別の実施形態によれば、上に定義されたようなＮＡＮＩが開示され、ｎ個の層の少なくとも１つは保育器、ｎ個の層の１つ、またはその両方に可逆的に連結可能である。
【０１７５】
本発明の別の実施形態によれば、上に定義されたようなＮＡＮＩが開示され、ｎ個の層の少なくとも１つは、音声発生器によって発生された内部環境内の音声の残響を低減する、反射を低減する、音声レベルを低減する、またはそれらのあらゆる組合せからなる群から選択されるように構成された少なくとも１つの受動的音声低減手段を備える。
【０１７６】
本発明の別の実施形態によれば、上に定義されたようなＮＡＮＩが開示され、少なくとも１つの層は、電気的な絶縁材料、導電回路を閉じるように構成された導電性材料、使い捨て可能な材料、少なくとも部分的に透明な材料、耐火材料、ＭＲＩ安全材料、殺菌可能な材料、およびそれらのあらゆる組合せからなる群から選択されたものの少なくとも一部を備える。
【０１７７】
本発明の一実施形態を非制限的に一定の縮尺ではない方法で概略的に示す図３ｆを参照する。この実施形態では、様々な層のタイプが示されている（１１５、１１６）。これらの層は、多孔材料、中実材料、可撓性の振動吸収材料、耐火材料などであることが可能である。層はそれぞれ保育器の内壁の少なくとも一部を覆う。
【０１７８】
次に能動的なＳＡＭの異なる実施形態を非制限的に一定の縮尺ではない方法で概略的に示す図４ａ〜図４ｄを参照する。図４ａは、保育器（１００）内に収容された新生児（１）を示す。保育器（１００）は、少なくとも１つのセンサ（１６０）を備える少なくとも１つの音声減衰モジュール（１５０）、および新生児（１）の耳に達する音声を削除するまたは少なくとも低減するように構成された相殺信号を発するように構成された少なくとも１つの変換器（１６８）を備える。ＳＡＭは、少なくとも１つのセンサおよび少なくとも１つの変換器に連通する少なくとも１つのＣＲＭをさらに備える。加えてまたは別法として、ＳＡＭ（１５０）は、保育器（１００）内の騒音をマスキングするために音声を発生するように構成された（保育器（１００）の内部環境の天井、壁、床などの上の）変換器（１６８）と異なる場所に音響音声スピーカ（１５２）と有線または無線で連通する。加えてまたは別法として、ＳＡＭは、相殺信号と衝突する騒音の三次元品質からの音声効果を相殺するように構成された第１の変換器（１６８）と一緒に、少なくとも１つの別の変換器（１５１）にさらに連結される。加えてまたは別法として、ＳＡＭは、電線、電池、発電機などの少なくとも１つの電源に連結される。図４ｂは、可逆的に連結可能なパネル上のＣＲＭ（１６２）、少なくとも１つのスピーカ、および少なくとも１つのセンサ（１６０）を備えたＳＡＭ（１５０）を示す。さらに保育器（１００）は、絶縁材料または封止材料などの少なくとも１つの受動的音声減衰手段を備える。図４ｃは、プロセッサ（１６４）を備えるＣＲＭ（１６２）の一実施形態を示す。ＣＲＭ（１６２）は、保育器（１００）内の様々な場所に散在する複数のセンサ（１６０）、および音声センサ（１６０）によって検知された音声を減衰するように構成され、相殺としてユーザによって既定された少なくとも１つの音声減衰器（１５２）と連通する。この実施形態は、保育器（１００）の内部筐体に達する特定の騒音を直接指す反応音声減衰手段を表す。一実施形態では、ＣＲＭは、新生児を動揺させる特定の音声から背景音声を区別し、特定の相殺信号を発生することにより妨害音声のみを減衰するように構成されている。図４ｄは、少なくとも１つの音声減衰手段（１５２）を備える少なくとも１つのＳＡＭ（１５０）を示す。加えてまたは別法として、保育器（１００）は、音声センサ、新生児の生命パラメータを検知するセンサ、および／または視覚デバイスなどの少なくとも１つのセンサをさらに備える。加えてまたは別法として、ＳＡＭはＣＲＭを介してＳＡＭのプログラミングができるように構成されたユーザインターフェース（画面、キー、ボタン、スクロール、マウスなどを備える）をさらに備える。
【０１７９】
次に保育器（１００）、撮像デバイス、治療デバイスとして具現化でき、したがって患者を撮像する内側部分（２）を有する医療デバイスを非制限的に一定の縮尺ではない方法で示す図５を参照する。騒音抑制機構を備えたこの医療デバイス内で、受動的および能動的手段は非制限的例としてＭＲＩ騒音（傾斜騒音）および外部騒音（病院の騒音）を低減するために提供される。受動的パッド状の音響封止（１０）は、その周囲環境から内部環境を隔離するように構成されたＭＲＩの開口に取り付けられる。さらなる受動的吸収音響表面（１１）は、内部環境内に配置される。さらに患者（１２ａ）に隣接し、ＭＲＩの傾斜に配向された騒音発生器（１２ｂ）に隣接して配置される。音声スピーカは、騒音がフィルタリングされマスキングされるように、ホワイト音響騒音を発する。加えてまたは別法として、１つまたは複数の反応音響デバイス（１２ａおよび／または１２ｂによって表すことができる）は、相殺干渉によりＭＲＩの周囲の音響騒音を削除するように構成される。加えてまたは別法として、通気機構（１４）は、音響騒音がデバイスの患者の耳から外れるように、患者の耳から外れてＭＲＩを通る（３）効果的な気流（２）を促進するように構成される。
【０１８０】
次に内部環境に配置された受動的吸収音響面（１１）を備える幼児の保育器（２００）を、非制限的に一定の縮尺ではない方法で概略的に示す図６を参照する。加えてまたは別法として、能動的音響音声スピーカ／反応音響デバイスは患者（１０１）に隣接して配置される。加えてまたは別法として、ファン（任意選択として加熱器および加湿器）を備える通気機構（１４）は、音響騒音がデバイスの患者から外れるように、患者から外れて保育器内を通る効果的な気流（２）を促進するように構成される。気流および／または通気システムによって発生された音声は、能動的音声減衰手段を備える少なくとも１つの音声減衰モジュール（１２）によって減衰されることが可能である。加えてまたは別法として、通気システムは保育器を備えるカートの上部トレイを支持する柱（２０１）に配置され、この実施形態では、追加の音声減衰機構が通気孔ならびに空気入口および出口に隣接して追加される。
【０１８１】
次に本発明の一実施形態を非制限的に一定の縮尺ではない方法で概略的に示す図７ａを参照する。新生児の保育器（１０２）は、新生児（１）を収容するための大きさ、形状および材料によって構成される。保育器（１０２）は、新生児に達する音声署名の少なくとも１つのパラメータを変更するように構成された、少なくとも１つの音声減衰モジュール、ＳＡＭを通って保育器基部と流体連通する、少なくとも１つの温度調節通気口（１４）を備える通気システムを含む。ＳＡＭが空気入口（１７５）を通る保育器（１０２）の床の下の小室（１６０ｃ）からポート（１９０ａ、１９０ｂ）を通って保育器（１０２）に空気を入れることができるように、ＳＡＭは構成される。
【０１８２】
本発明の別の実施形態によれば、上に定義されたようなＮＡＮＩが開示され、医療デバイスは、音響騒音が患者の耳から外れるように、患者の耳から外れて医療デバイスを通る効果的な気流を促進するように構成された通気機構をさらに備える。
【０１８３】
本発明の別の実施形態によれば、上に定義されたようなＮＡＮＩが開示され、通気機構は、空気が入るかつ／または出るように構成された少なくとも１つの空気入口、空気出口、またはその両方をさらに備え、さらに少なくとも１つの空気入口、空気出口、またはその両方は少なくとも１つのＳＡＭをさらに備える。
【０１８４】
本発明の別の実施形態によれば、上に定義されたようなＮＡＮＩが開示され、通気機構は、空気が少なくとも１つの空気入口を通って内部環境に向かって流れるように構成された少なくとも１つの通気孔をさらに備え、さらに通気機構は通気孔によって発生された騒音を減衰するように構成された少なくとも１つのＳＡＭをさらに備える。
【０１８５】
本発明の別の実施形態によれば、上に定義されたようなＮＡＮＩが開示され、ＳＡＭは、少なくとも１つの長さ（ｌ）および少なくとも１つの幅（ｗ）を有する、少なくとも１つのシリンダ導管を備える少なくとも１つの音声抑制器（ＳＭ）を備え、シリンダは少なくとも１つの空気入口および少なくとも１つの空気出口を備え、さらにＳＭは、少なくとも１つの空気出口から出る音声が少なくとも１つの空気入口に入る音声と異なる音声署名からなるように構成される。
【０１８６】
本発明の別の実施形態によれば、上に定義されたようなＮＡＮＩが開示され、ＳＭは、その間に結合された少なくとも第１のシリンダおよび少なくとも第２のシリンダを備え、結合部はその間に流体連通できるように構成された少なくとも１つの開口を備える。
【０１８７】
本発明の別の実施形態によれば、上に定義されたようなＮＡＮＩが開示され、少なくとも１つのシリンダの幅（ｗ）は、幅（ｗ）が長さ（ｌ）に沿って等しい、長さ（ｌ）に沿って異なる、またはそれらのあらゆる組合せからなる群から選択される。
【０１８８】
本発明の別の実施形態によれば、上に定義されたようなＮＡＮＩが開示され、ＳＭは、それぞれのシリンダの長さ（ｌ）１〜…ｎおよび幅（ｗ）１〜…ｎを有し、（ｌ）１＝（ｌ）ｎ、（ｌ）１＞（ｌ）ｎ、（ｌ）１＜（ｌ）ｎ、（ｌ）１≠（ｌ）ｎ、（ｗ）１＝（ｗ）ｎ、（ｗ）１＞（ｗ）ｎ、（ｗ）１＜（ｗ）ｎ、（ｗ）１≠（ｗ）ｎ、およびそれらのあらゆる組合せからなる群から選択された、複数のｎ個のシリンダを備える。
【０１８９】
次に少なくとも１つの柱（４００）によって連結された、少なくとも１つの可動基部（５００）を有するカート内に位置付けられた幼児の保育器（１０３）を、非制限的に一定の縮尺ではない方法で同様に示す図７ｂを参照する。カートは柱（４００）内および／またはカート基部（５００）内に位置付けられた少なくとも１つの通気システムを備える。通気システムは、通気孔から空気の流れを受領するために少なくとも１つの空気入口、および保育器に空気を分配するために少なくとも１つの空気出口を有するように構成された少なくとも１つの音声抑制器、ＳＭ（１５１ａ、１５１ｂ）と流体連通した少なくとも１つの通気孔（１４）を備える。ＳＭ（１５１ａ、１５１ｂ）は、通気孔によって発生された音声の少なくとも１つの音声特徴を変更し、保育器（１６０ｂ）の底部上の小室を通って保育器に入れるように構成される。加えてまたは別法として、保育器に残留している空気も、音声署名を変更するように構成された少なくとも１つのＳＭを通過することができ、それによって騒音環境を生成することが少ない。加えてまたは別法として、ＳＭおよび通気システムは少なくとも一部がＭＲＩ安全材料から作成される。
【０１９０】
本発明の別の実施形態によれば、保育器は少なくとも支柱によって相互連結された少なくとも１つの可動基部を備えるカートに連結され、さらにカートは開いた穴を有するＭＲＤの中に少なくとも部分的に挿入される大きさおよび形状によって構成され、さらに保育器およびカートは、挿入されたときにカートがＭＲＤの穴を効果的に閉じるように構成され、さらにカートの少なくとも一部および保育器の少なくとも一部は、ＭＲＩ安全材料から作成される。加えてまたは別法として、ＭＲＤの穴の中に挿入される保育器、カート、ＳＡＭおよび／または通気システムのすべての構成要素は、ＭＲＩ安全材料から作成される。
【０１９１】
次に経時的な音声レベルの関数として新生児の動揺パラメータを表す図表を、非制限的に一定の縮尺ではない方法で概略的に示す図８ａを参照する。破線「Ａ」は、音声減衰モジュールなしに経時的に比較的高レベルの騒音に曝された、アンダーソン行動尺度による新生児の動揺を表す。動揺は経時的に高くなることがわかる。反応音声減衰モジュールを使用すると、新生児の動揺パラメータは、システムが動揺を検出すると下がり、新生児に達する音声レベルを４５ｄＢ未満に効果的に低くするマスキング音声および／または相殺信号を発生する。
【０１９２】
次に経時的な音声振幅率の関数として、（非制限的例として）アンダーソン行動尺度による新生児の動揺パラメータを表す図表を、非制限的に一定の縮尺ではない方法で概略的に示す図８ｂを参照する。破線（Ａ）は、音声振幅率の上昇に関連して経時的に上昇する新生児の動揺を示す。線（Ｂ）は、少なくとも１つの受動的音声減衰手段を有する少なくとも１つのＳＡＭを利用する際の、新生児の動揺における最小の上昇のみを示す。
【０１９３】
次に経時的な音声周波数の関数として、（非制限的例として）アンダーソン行動尺度による新生児の動揺パラメータを表す図表を、非制限的に一定の縮尺ではない方法で概略的に示す図８ｃを参照する。破線「Ａ」は、音声減衰モジュールなしに経時的に比較的高い周波数の騒音に曝された新生児の動揺を表す。動揺は経時的に高くなることがわかる。反応音声減衰モジュールを使用すると、新生児の動揺パラメータは、システムが動揺を検出すると下がり、新生児に達する音声周波数を既定パラメータ（非制限的例として、１６００Ｈｚ未満、１０００Ｈｚ未満、６００Ｈｚ未満、８００〜１２００Ｈｚ、６００〜１５００Ｈｚ、１０００〜２０００Ｈｚ、２００〜２０００Ｈｚ、１００〜８００Ｈｚ、１〜１００Ｈｚ、１２００〜１５００Ｈｚ，２０００〜３００Ｈｚ、２０００〜３０００Ｈｚ、３０００〜４０００Ｈｚ、４０００〜２００００Ｈｚ、２０〜２００００Ｈｚ、２０〜１５０００Ｈｚ、およびそれらのあらゆる組合せに効果的に低くするマスキング音声および／または相殺信号を発生し、加えてまたは別法として、システムは、低周波数の音声をフィルタリングし、高周波数の音声を残す、または既定範囲外のすべての周波数を除去する、例えば非制限的例として、８００〜１２００Ｈｚ、６００〜１５００Ｈｚ、１０００〜２０００Ｈｚ、２００〜２０００Ｈｚ、１００〜８００Ｈｚ、１〜１００Ｈｚ、１２００〜１５００Ｈｚ、２０００〜３００Ｈｚ、２０００〜３０００Ｈｚ、３０００〜４０００Ｈｚ、４０００〜２００００Ｈｚ、２０〜２００００Ｈｚ、２０〜１５０００Ｈｚおよびそれらのあらゆる組合せの周波数のみを残すために、新生児に達する音声署名を変更することができ、加えてまたは別法として、少なくとも１つの周波数を除去し、少なくとも１つの周波数を可能にすることができる。
【０１９４】
次に経時的なｄＢの音声レベルの関数として、（非制限的例として）アンダーソン行動尺度による新生児の動揺パラメータを表す図表を、非制限的に一定の縮尺ではない方法で概略的に示す図８ｄを参照する。破線（Ａ）は、音声レベルの上昇に関連して経時的に上昇する新生児の動揺を示す。線（Ｂ）は、少なくとも１つの受動的音声減衰手段を有する少なくとも１つのＳＡＭを利用する際の、新生児の動揺における最小の上昇のみを示す。
【０１９５】
次に経時的な動揺させる音声の発生の関数として、（非制限的例として）アンダーソン行動尺度による新生児の動揺パラメータを表す図表を、非制限的に一定の縮尺ではない方法で概略的に示す図８ｅを参照する。破線（Ａ）は、動揺に曝された時間の蓄積に関連して経時的に上昇する新生児の動揺を示す。線（Ｂ）は、新生児に達する音声署名を変更するように構成された少なくとも１つの音声減衰手段を有する、少なくとも１つのＳＡＭを利用する際の、新生児の動揺における最小の上昇のみを示す。
【０１９６】
本発明の一実施形態によれば、新生児保育器を音声減衰するための方法は、（ａ）時間ｔｉにおける音声振幅率（ＡｍｐＲａｔｔｉ）を所定時間Δｔに亘って測定された音声の臨界振幅率値（ＡｍｐＲＱＶΔｔ）以下に下げるように構成された、少なくとも１つの音声減衰モジュール（ＳＡＭ）を備える騒音減衰新生児保育器（ＮＡＮＩ）を獲得することと、（ｂ）ＮＡＮＩ内に保育器を収容することと、（ｃ）少なくとも１つのＳＡＭにより騒音を減衰し、それによって音声署名を変更することとを特徴とする。
【０１９７】
本発明の別の実施形態によれば、上に定義されたような方法が開示され、以下のステップ、すなわち（ａ）少なくとも１つのＣＲＭ、ＣＲＭと連通する少なくとも１つの音声センサ、ＣＲＭと連通する少なくとも１つの音声減衰器をさらに備える、ＳＡＭを獲得するステップと、（ｂ）所定時間Δｔに亘って測定された音声の臨界振幅率値（ＡｍｐＲＱＶΔｔ）、および時間ｔｉにおける音声振幅率（ＡｍｐＲａｔｔｉ）をＣＲＭによって記憶するステップと、（ｃ）ＮＡＮＩ内の時間ｔｉにおける音声振幅率（ＡｍｐＲａｔｔｉ）を少なくとも１つの音声センサによって連続的にサンプリングするステップと、（ｄ）ＡｍｐＲａｔｔｉ＜ＡｍｐＲａｔＱＶΔｔであるように、ＡｍｐＲａｔｔｉ＞ＡｍｐＲＱＶΔｔである場合、時間ｔｉにおける音声振幅率（ＡｍｐＲａｔｔｉ）を下げるステップとをさらに備え、所定時間Δｔに亘って測定された音声の臨界振幅率値ＡｍｐＲａｔＱＶΔｔは音声減衰器により約１７８．８Δｔ未満になる。
【０１９８】
当技術分野で公知であるように、振幅率１７８．８は約４５ｄＢに等しい。
【０１９９】
本発明の別の実施形態によれば、上に定義されたような方法が開示され、センサから、少なくとも１つのインジケータ、少なくとも１つのユーザインターフェース、少なくとも１つの警報システム、少なくとも１つのＣＰＵ、およびそれらのあらゆる組合せからなる群から選択されたものに情報をさらに中継するステップをさらに含む。
【０２００】
本発明の別の実施形態によれば、上に定義されたような方法が開示され、少なくとも１つのセンサによって受信されたパラメータ、ユーザインターフェースを通して入力されたパラメータ、新生児医療機器から受信されたパラメータ、およびそれらのあらゆる組合せからなる群から選択されたものに従ってＣＲＭによって音声減衰器を制御するステップをさらに含む。
【０２０１】
本発明の別の実施形態によれば、上に定義されたような方法が開示され、（ａ）１つまたは複数のサンプル値を生み出す１つまたは複数のサンプリング事象のためにＣＲＭを構成するステップと、（ｂ）少なくとも１つの信号をサンプリングし、それによって少なくとも１つのサンプル値を生成するステップと、（ｃ）音声署名を決定するために１つまたは複数の値を含む少なくとも１つのサンプルを分析するステップとをさらに含む。
【０２０２】
本発明の別の実施形態によれば、上に定義されたような方法が開示され、時点ｔとｔ＋５０マイクロ秒以上のｔ１との間の信号の振幅率をサンプリングし、それによってＡｍｐＲａｔｔｉを決定するようにＣＲＭを構成するステップをさらに含む。
【０２０３】
本発明の別の実施形態によれば、上に定義されたような方法が開示され、ＣＲＭによりＡｍｐＲａｔｔｉを決定するために少なくとも２つのサンプリング事象の平均を計算するステップをさらに含む。
【０２０４】
本発明の別の実施形態によれば、上に定義されたような方法が開示され、少なくとも１つの音響音声スピーカを有する能動的音声マスキングシステムを備え、音響音声スピーカにより少なくとも１つの音響音声信号を発する、音声減衰器を獲得するステップをさらに含む。
【０２０５】
本発明の別の実施形態によれば、上に定義されたような方法が開示され、ホワイト騒音、ピンク騒音、グレー騒音、ブラウン騒音、ブルー騒音、バイオレット騒音、およびそれらのあらゆる組合せからなる群から選択された、少なくとも１つの音響音声信号を発する生成するステップをさらに含む。
【０２０６】
本発明の別の実施形態によれば、上に定義されたような方法が開示され、相殺干渉発生器により騒音を削除し、相殺干渉を発生し、それによって騒音を少なくとも部分的に相殺するように構成された、反応音響デバイスを備える音声減衰器を獲得するステップをさらに含む。
【０２０７】
本発明の別の実施形態によれば、上に定義されたような方法が開示され、音声レベルを低減する、音声反射を低減する、音声残響を低減する、音声拡散の生成する、音声をマスキングする、音声を削除する、音声署名を変更する、およびそれらのあらゆる組合せからなる群から選択されたものにより騒音を低減するようにＳＡＭを構成するステップをさらに含む。
【０２０８】
本発明の別の実施形態によれば、上に定義されたような方法が開示され、音声レベル、音調、倍音成分、残響、音声周波数、音声波長、音波振幅、音波速度、音波方向、音波エネルギー、音波位相、音波形状、音波エンベロープ、音声音色、およびそれらのあらゆる組合せからなる群から選択された少なくとも１つの音声特徴をＳＡＭによって変更し、それによって異なる音声署名を発生するステップをさらに含む。
【０２０９】
本発明の別の実施形態によれば、上に定義されたような方法が開示され、以下のステップ、すなわち（ａ）ユーザによりリアルタイムで音声署名構成するステップ、（ｂ）ユーザにより音声署名を既定するステップ、および（ｃ）新生児の生命パラメータに関連する音声署名を自動的に調節するステップの少なくとも１つをさらに含む。
【０２１０】
本発明の別の実施形態によれば、上に定義されたような方法が開示され、能動的音声減衰手段、受動的音声減衰手段、ハイブリッド音声減衰手段、およびそれらのあらゆる組合せからなる群から選択された少なくとも１つの手段を備える、ＳＡＭを獲得するステップをさらに含む。
【０２１１】
本発明の別の実施形態によれば、上に定義されたような方法が開示され、以下のステップ、すなわち（ａ）能動的音声減衰手段により騒音を能動的に減衰するステップ、および（ｂ）受動的音声減衰手段により騒音を受動的に減衰するステップの少なくとも１つをさらに含む。
【０２１２】
本発明の別の実施形態によれば、上に定義されたような方法が開示され、少なくとも１つの音声吸収材料、少なくとも１つの共鳴器、少なくとも１つの音声遮蔽板、少なくとも１つのベーストラップ、少なくとも１つの音声反射板、少なくとも１つの拡散器、少なくとも１つの絶縁パッド、少なくとも１つの音声反射器、少なくとも１つの音声抑制器（ＳＭ）、およびそれらのあらゆる組合せからなる群から、少なくとも１つの受動的音声減衰手段を選択するステップをさらに含む。
【０２１３】
本発明の別の実施形態によれば、上に定義されたような方法が開示され、少なくとも１つの絶縁材料、少なくとも１つの封止材料、少なくとも１つの音声吸収材料、少なくとも１つの振動吸収材料、およびそれらのあらゆる組合せからなる群から選択された材料の少なくとも一部を備える、少なくとも１つの音声遮蔽板を備えるＳＡＭを選択するステップをさらに含む。
【０２１４】
本発明の別の実施形態によれば、上に定義されたような方法が開示され、少なくとも１つの長さ（ｌ）および少なくとも１つの幅（ｗ）を有する、少なくとも１つのシリンダ導管であって、シリンダは少なくとも１つの空気入口および少なくとも１つの空気出口を備える、シリンダ導管を備える少なくとも１つの音声抑制器（ＳＭ）を備えるＳＡＭを獲得するステップと、（ｂ）少なくとも１つの空気出口から出る音声が少なくとも１つの空気入口に入る音声と異なる音声署名からなるようにＳＭを構成するステップと、（ｃ）それによって音声署名を変更するステップとをさらに含む。
【０２１５】
本発明の別の実施形態によれば、上に定義されたような方法が開示され、その間に結合された少なくとも第１のシリンダおよび少なくとも第２のシリンダをさらに備え、結合部はその間に流体連通できるように構成された、ＳＭを獲得するステップをさらに含む。
【０２１６】
本発明の別の実施形態によれば、上に定義されたような方法が開示され、シリンダの長さ（ｌ）に沿って等しい、シリンダの長さ（ｌ）に沿って異なる、またはそれらのあらゆる組合せからなる群から選択された、少なくとも１つのシリンダの幅（ｗ）を獲得するステップをさらに含む。
【０２１７】
本発明の別の実施形態によれば、上に定義されたような方法が開示され、（ｌ）１＝（ｌ）ｎ、（ｌ）１＞（ｌ）ｎ、（ｌ）１＜（ｌ）ｎ、（ｌ）１≠（ｌ）ｎ、（ｗ）１＝（ｗ）ｎ、（ｗ）１＞（ｗ）ｎ、（ｗ）１＜（ｗ）ｎ、（ｗ）１≠（ｗ）ｎ、およびそれらのあらゆる組合せからなる群から選択された、それぞれのシリンダの長さ（ｌ）１〜…ｎおよび幅（ｗ）１〜…ｎを有する複数のｎ個のシリンダを備える、ＳＭを獲得するステップをさらに含む。
【０２１８】
本発明の別の実施形態によれば、上に定義されたような方法が開示され、（ａ）少なくとも１つの絶縁パッド、および絶縁体内に少なくとも１つの開口を備えるＳＡＭを獲得するステップと、（ｂ）絶縁体によりＮＡＮＩを絶縁するステップと、（ｃ）ＮＡＮＩおよび開口により内部に存在する新生児にアクセスするステップとをさらに含む。
【０２１９】
本発明の別の実施形態によれば、上に定義されたような方法が開示され、断熱材料、封止材料、発泡材料、難燃材料、少なくとも一部が透明な材料およびそれらのあらゆる組合せからなる群から選択された材料を備える、絶縁体の少なくとも一部を獲得するステップをさらに含む。
【０２２０】
本発明の別の実施形態によれば、上に定義されたような方法が開示され、遮蔽手段の少なくとも一部を備える絶縁体の少なくとも一部を獲得するステップと、（ｂ）磁性、電磁干渉、物理的損傷およびそれらのあらゆる組合せからなる群から選択された保育器の少なくとも一部を遮蔽手段により遮蔽するステップとをさらに含む。
【０２２１】
本発明の別の実施形態によれば、上に定義されたような方法が開示され、保育器の中への少なくとも１つの第１の孔、および内部に管を入れる通路に適合した、外部環境への少なくとも１つの孔を有する、少なくとも１つの導管を備える絶縁体の少なくとも一部を獲得するステップと、（ｂ）０〜約１０００ＭＨｚ、０〜約５００ＭＨｚ、０〜約２００ＭＨｚおよびそれらのあらゆる組合せからなる群から選択された周波数の通路を導管によって減衰するステップとをさらに含む。
【０２２２】
本発明の別の実施形態によれば、上に定義されたような方法が開示され、（ａ）保育器に可逆的に取り付けおよび取り外しするように構成されたＳＡＭを獲得するステップと、（ｂ）ＳＡＭをＮＡＮＩに可逆的に取り付けおよび取り外しするステップをさらに含む。
【０２２３】
本発明の別の実施形態によれば、上に定義されたような方法が開示され、（ａ）少なくとも１つの音声反射器を備えるＳＡＭを獲得するステップと、（ｂ）騒音の少なくとも一部を、少なくとも１つの吸収面、少なくとも１つの音声拡散器、少なくとも１つの音声反射板、少なくとも１つの反射面、少なくとも１つの共鳴器、少なくとも１つの音声遮蔽板、新生児から離れた方向に向けられた場所、およびそれらのあらゆる組合せからなる群から選択されたものに反射させるステップとをさらに含む。
【０２２４】
本発明の別の実施形態によれば、上に定義されたような方法が開示され、ｎ個の層を備えるＳＡＭの少なくとも一部を獲得するステップをさらに含み、ｎ個の層は、それぞれ新生児に面した内側および新生児から外方を向いた反対側の外側を備える。
【０２２５】
本発明の別の実施形態によれば、上に定義されたような方法が開示され、（ａ）既定の騒音低減係数（ＮＲＣ）値、音響透過クラス（ＳＴＣ）値、またはその両方を備えるｎ個の層のそれぞれを選択するステップと、（ｂ）ｎ個の層の１つのそれぞれに対して等しいかまたは異なるＮＲＣ値、ＳＴＣ値、またはその両方を選択するステップとをさらに含む。
【０２２６】
本発明の別の実施形態によれば、上に定義されたような方法が開示され、ｎ個の層のそれぞれに対して騒音低減係数（ＮＲＣ）値を含むｎ個の層の少なくとも２つを選択するステップをさらに含み、それぞれの層は、層の外側で測定された少なくとも１つの音声レベルＳ（ｄＢ）、およびｄＳ１〜…ｄＳｎを有する層の内側で測定された少なくとも１つの第１の音声レベルＳ１（ｄＢ）を含み、ＳＡＭのｄＳはＳ１−Ｓｎと等しく、Ｓ１−Ｓｎ＜Ｓ１である。
【０２２７】
本発明の別の実施形態によれば、上に定義されたような方法が開示され、ｎ個の層のそれぞれに対して音響透過クラス（ＳＴＣ）値を含むｎ個の層の少なくとも２つを選択するステップをさらに含み、それぞれの層は、層の外側で測定された少なくとも１つの音声レベルＳ（ｄＢ）、およびｄＳ１〜…ｄＳｎを有する層の内側で測定された少なくとも１つの第１の音声レベルＳ１（ｄＢ）を含み、ＳＡＭのｄＳはＳ１−Ｓｎと等しく、Ｓ１−Ｓｎ＜Ｓ１である。
【０２２８】
本発明の別の実施形態によれば、上に定義されたような方法が開示され、（ａ）（ｉ）ｎ個の層の少なくとも１つから保育器までの空間Ｓ１、ｎ個の層のそれぞれの間の空間Ｓｎ、またはその両方と、（ｉｉ）層１〜ｎに対して測定されたＳＴＣ１（音響透過クラス）値と、（ｉｉｉ）ｎ個の層の少なくとも１つから保育器までの空間Ｓ１ａ、ｎ個の層のそれぞれの間の空間Ｓｎａ、またはその両方、および層１〜ｎに対して測定されたＳＴＣ２値を有するｎ個の層の少なくとも１つを結集するように構成された、ｎ個の層の少なくとも１つに連結された結集手段とをさらに備えるＳＡＭを獲得するステップと、（ｂ）Ｓ１＜Ｓ１ａ、Ｓｎ＜Ｓｎａ、またはその両方であり、ＳＴＣ１＜ＳＴＣ２であるように少なくとも１の層を結集するステップとをさらに含む。
【０２２９】
本発明の別の実施形態によれば、上に定義されたような方法が開示され、ｎ個の層の少なくとも１を保育器、ｎ個の層の少なくとも１つ、またはその両方に可逆的に連結するステップをさらに含む。
【０２３０】
本発明の別の実施形態によれば、上に定義されたような方法が開示され、ＮＡＮＩ内の騒音の残響を低減する、反射を低減する、レベルを低減する、またはそれらのあらゆる組合せからなる群から選択されるように構成された、少なくとも１つの受動的音声低減手段を備えるｎ個の層の少なくとも１つを獲得するステップをさらに含む。
【０２３１】
本発明の別の実施形態によれば、上に定義されたような方法が開示され、電気的な絶縁材料、導電回路を閉じるように構成された導電性材料、使い捨て可能な材料、少なくとも部分的に透明な材料、耐火材料、ＭＲＩ安全材料、殺菌可能な材料、およびそれらのあらゆる組合せからなる群から選択されたものの少なくとも一部を備える、少なくとも１つの層を選択するステップをさらに含む。
【０２３２】
本発明の別の実施形態によれば、上に定義されたような方法が開示され、少なくとも１のＳＡＭを有する少なくとも１の導管をさらに備えるＮＡＮＩを獲得するステップ、および導管を通過してＮＡＮＩの中に入る騒音を抑制するステップをさらに含む。
【０２３３】
本発明の別の実施形態によれば、上に定義されたような方法が開示され、ＭＲＩ安全材料から作成されたＳＡＭを獲得するステップをさらに含む。
【０２３４】
本発明の別の実施形態によれば、上に定義されたような方法が開示され、（ａ）音声レベルセンサ、音声周波数センサ、音声方向センサ、音声振幅センサ、音調センサ、音声速度センサ、新生児の生命パラメータを検知するように構成されたセンサ、およびそれらのあらゆる組合せからなる群から選択された少なくとも１つのセンサをさらに備える保育器を獲得するステップと、（ｂ）センサによって検知するステップとをさらに含む。
【０２３５】
本発明の別の実施形態によれば、上に定義されたような方法が開示され、ＳＡＭは、吸収材料、音声反射板、音声拡散器、能動的音声削除デバイスおよびそれらのあらゆる組合せからなる群から選択された少なくとも１つにより、ＮＡＮＩ内の音声の残響、音声の反射、またはその両方を低減するようにＳＡＭを構成するステップをさらに含む。
【０２３６】
本発明の別の実施形態によれば、上に定義されたような方法が開示され、空気が入るかつ／または出るように構成された少なくとも１の空気入口、空気出口、またはその両方をさらに備え、さらに少なくとも１つのＳＡＭを備える少なくとも１の空気入口、空気出口、またはその両方に連結する、ＮＡＮＩを獲得するステップをさらに含む。
【０２３７】
本発明の別の実施形態によれば、上に定義されたような方法が開示され、少なくとも１つのＳＡＭを備えるカート内にＮＡＮＩを少なくとも一時的に収容するステップをさらに含む。
【０２３８】
本発明の一実施形態によれば、保育器を音声減衰に対処するための基準は、（ａ）ＡｍｐＲａｔｔｉをＡｍｐＲＱＶΔｔ以下に下げるように構成された音声減衰モジュール（ＳＡＭ）を備える騒音減衰新生児保育器を獲得するステップと、（ｂ）新生児を保育器内に収容するステップと、（ｃ）少なくとも１つのＳＡＭにより騒音を減衰し、それによって音声署名を変更するステップとを含み、さらに以下の少なくとも１は適用される、すなわち（ａ）保育器内の騒音レベルが４５デシベル未満である、（ｂ）保育器内の騒音レベルが６０デシベル未満である、（ｃ）保育器を利用しているときの新生児の可聴に関連した合併症の量は、新生児の可聴合併症の平均値よりｂ倍低い、但しｂは１．０５以上である、（ｄ）ＭＲＩ中の保育器を利用しているときの患者の騒音に由来するストレスからの唾液コルチゾルレベル指標の平均値は、ＭＲＩ中の平均値よりｎ倍低い、但しｎは１．０５以上である、（ｅ）通常使用において１０度傾斜したとき、および輸送中に２０度傾斜したときに保育器は安定した状態を保つ、（ｆ）力が１００Ｎ以下のときに保育器は転倒しない、（ｇ）電気機器システムを備えた保育器の内容積における放射電磁界は、ＥＭＣ（電磁両立性）に対する副通則の周波数域に対して最高３Ｖ／ｍまでのレベルになり、さらに電気機器は製造業者によって特定されたその意図した機能を実行し、またはＥＭＣに対する副通則の周波数域に対して最高１０Ｖ／ｍまでのレベルで安全危害を生じることなく機能しなくなる、（ｈ）保育器を利用するときに、製造業者、取扱者、ユーザ、オペレータ、医療従事者、医療施設、医療施設管理者またはそれらのあらゆる組合せからなる群から選択されたものの保険に適する請求の平均数は、患者のＭＲＩに関連した保険に適する請求よりｖ倍低い、但しｖは１．０５以上である。
【０２３９】
本発明の一実施形態によれば、音声パラメータは、ＮＣ騒音基準（Ｌ．Ｂｅｒａｎｅｋ（ｅｄ）、「Ｎｏｉｓｅ  ｒｅｄｕｃｔｉｏｎ」、ＭｃＧｒａｗ−Ｈｉｌｌ、Ｎｅｗ  Ｙｏｒｋ、１９６０）、ＮＲ騒音評価（Ｃ．Ｋｏｓｔｅｎ、Ｇ．ｖａｎ  Ｏｓ、「Ｃｏｍｍｕｎｉｔｙ  ｒｅａｃｔｉｏｎ  ｃｒｉｔｅｒｉａ  ｆｏｒ  ｅｘｔｅｒｎａｌ  ｎｏｉｓｅ  ｉｎ  ｔｈｅ  ｃｏｎｔｒｏｌ  ｏｆ  ｎｏｉｓｅ」、ＮＰＬ  ｓｙｍｐｏｓｉｕｍ  ｎｏ．１２、ＨＭＯ、Ｌｏｎｄｏｎ  ３７３、１９６２）、ＲＣルーム基準（Ｍ．Ｃｒｏｃｋｅｒ（ｅｄ．）、「Ｅｎｃｙｃｌｏｐｅｄｉａ  ｏｆ  Ａｃｏｕｓｔｉｃｓ」、Ｊ．Ｗｉｌｅｙ  ＆  Ｓｏｎｓ、Ｎｅｗ  Ｙｏｒｋ、３、１１６６〜１１７０、１９９７およびＮＣＢ平衡騒音基準（Ｄ．Ｅｇａｎ、「Ａｒｃｈｉｔｅｃｔｕｒａｌ  Ａｃｏｕｓｔｉｃｓ」、ＭｃＧｒｏｗ−Ｈｉｌｌ、Ｎｅｗ  Ｙｏｒｋ、１９８８）の騒音基準曲線を満たすために評価される。
【０２４０】
本発明の一実施形態によれば、ＡＮＴＩ（１００）は、すべての適用された規則、特に以下の基準およびその章、すなわちＡＮＳＩ／ＡＡＭＩ／ＩＥＣ６０６０１−２−１９、２００９、医療電気機器、第２〜１９部、幼児保育器の基礎安全および基本性能の特定要求事項に立脚するすべての手段を有する。この基準は乳児保育器の基礎安全および基本性能に適用する。またこの基準は、疾病、負傷または障害の補完または緩和のために使用される乳児保育器にも適用できる。より具体的には、これは特に２０１．２章、引用規定、２０１．４章、一般要求事項、２０１．８章、「医療電気機器」による電気的「障害」からの保護、２０１．９章、「医療電気機器」および「電気システム」の「電気的障害」からの保護、２０１．１０章、不要かつ過剰な放射線「障害」からの保護、２０１．１１章、過度温度および他の「障害」からの保護、２０１．１２章、制御および命令の精度および有害出力からの保護、２０１．１３章、「危険な状態」および故障状態、２０１．１４章、「プログラム可能な電気医療システム（ＰＥＭＳ）」、２０１．１５章、「医療電気機器」の構造、２０１．１６章、「医療電気システム」、２０１．１７章、「医療電気機器」および「医療電気システム」の電磁両立性、２０２章、電磁両立性−要件および試験、２１０章、生理学的に閉じたループの制御装置の開発の要件、２０１．３．２０１章、図表２０１．１０１、「幼児の皮膚の温度」測定、図表２０１．１０２、「保育器の温度」の変動に適用し、その全体が参照によって本明細書に組み込まれる。
【０２４１】
加えてまたは別法として、患者の少なくとも一部を少なくとも一時的に収容するように構成された、内部容積に閉囲された医療デバイスは、騒音基準を満たすように構成され、かつ／または適用された規則の少なくとも１つおよびそれらのあらゆる組合せ、特に以下の基準およびその章、すなわちＡＮＳＩ／ＡＡＭＩ／ＩＥＣ６０６０１−２−２０、２００９医療電気機器、第２〜２０部、幼児輸送保育器の基礎安全および基本性能の特定要求事項、またより具体的には２０１．３．２０１章、気温が「オペレータ」によって設定された値に近い気温センサによって自動的に制御される「空気を制御した輸送保育器」、２０１．３．２０２章、「定常温度条件」の間に達成された「小室」の特定されたあらゆる点で一定間隔を取って読み取る温度の平均、「平均温度」、２０１．３．２０３章、「定常温度条件」の間に達成された一定間隔を取って読み取る「幼児輸送保育器の温度」の平均、「平均輸送保育器温度」２０１．３．２０４章、ＩＥＣ６０６０１−１−１０に定義されたように「乳児の制御された保育器」として作動する「新生児の輸送保育器」は「生理学的に閉じたループの制御装置」であるとする「オペレータ注記」によって設定された「制御温度」に従って、「皮膚温度センサ」により測定された温度を維持するために、さらに「保育器」の気温を自動的に制御できる「乳児の制御された輸送保育器の空気制御された輸送保育器」、２０１．３．２０５章、「新生児」を収容することを意図し、「新生児」を見ることができる透明部（複数可）を備える、「小室」の環境を制御された筐体、２０１．３．２０６章、「制御温度」、温度制御で選択された温度、２０１．３．２０７章、生後３月までおよび体重１０ｋｇ未満の「新生児患者」、２０１．３．２０８章、「新生児輸送保育器」、「小室」が設置された「輸送可能な医療電気機器」、および主に「小室」内の空気を加熱することにより「新生児」の環境を制御する手段を備える「輸送可能な」電源、２０１．３．２０９章、「皮膚温度」、「皮膚温度センサ」が置かれた点における「新生児」の皮膚の温度、２０１．３．２１０章、「新生児の皮膚温度」を測定することを意図した「皮膚温度センサ」検知デバイス、Ｋｎｕｔｓｏｎ，Ａ．Ｊ．らによる「Ａｃｃｅｐｔａｂｌｅ  ｎｏｉｓｅ  ｌｅｖｅｌｓ  ｆｏｒ  ｎｅｏｎａｔｅｓ  ｉｎ  ｔｈｅ  ｎｅｏｎａｔａｌ  ｉｎｔｅｎｓｉｖｅ  ｃａｒｅ  ｕｎｉｔ」Ｗａｓｈｉｎｇｔｏｎ  Ｕｎｉｖｅｒｓｉｔｙ  Ｓｃｈｏｏｌ  ｏｆ  Ｍｅｄｉｃｉｎｅ、２０１３から取られた新生児に受容された騒音レベルに立脚するすべての手段を含み、その全体が参照によって本明細書に組み込まれる。
【図１】
2016534835.tif 000006
【図２ａ】
2016534835.tif 000007
【図２ｂ】
2016534835.tif 000008
【図２ｃ】
2016534835.tif 000009
【図２ｄ】
2016534835.tif 000010
【図２ｅ】
2016534835.tif 000011
【図３ａ】
2016534835.tif 000012
【図３ｂ】
2016534835.tif 000013
【図３ｃ】
2016534835.tif 000014
【図３ｄ】
2016534835.tif 000015
【図３ｅ】
2016534835.tif 000016
【図３ｆ】
2016534835.tif 000017
【図４ａ】
2016534835.tif 000018
【図４ｂ】
2016534835.tif 000019
【図４ｃ】
2016534835.tif 000020
【図４ｄ】
2016534835.tif 000021
【図５】
2016534835.tif 000022
【図６】
2016534835.tif 000023
【図７ａ】
2016534835.tif 000024
【図７ｂ】
2016534835.tif 000025
【図８ａ】
2016534835.tif 000026
【図８ｂ】
2016534835.tif 000027
【図８ｃ】
2016534835.tif 000028
【図８ｄ】
2016534835.tif 000029
【図８ｅ】
2016534835.tif 000030
【手続補正書】
【提出日】平成28年1月10日(2016.1.10)
【手続補正１】
【補正対象書類名】特許請求の範囲
【補正対象項目名】全文
【補正方法】変更
【補正の内容】
【特許請求の範囲】
【請求項１】
時間ｔｉにおける音声振幅率（ＡｍｐＲａｔｔｉ）を所定時間Δｔに亘って測定された前記音声の臨界振幅率値（ＡｍｐＲＱＶΔｔ）以下に下げるように構成された音声減衰モジュール（ＳＡＭ）［１５０］を備える騒音減衰新生児保育器（ＮＡＮＩ）であって、前記音声減衰モジュール（ＳＡＭ）は、
ａ．前記保育器内で時間ｔｉにおける前記音声振幅率（ＡｍｐＲａｔｔｉ）を連続的にサンプリングするように構成された、コンピュータ可読媒体（ＣＲＭ）と連通する少なくとも１つの音声センサ［１６０］と、
ｂ．所定時間Δｔに亘って測定された前記音声の前記臨界振幅率値（ＡｍｐＲＱＶΔｔ）および時間ｔｉにおける前記音声振幅率（ＡｍｐＲａｔｔｉ）を記憶するための少なくとも１つのＣＲＭ［１６２］と、
ｃ．時間ｔｉにおける前記音声振幅率（ＡｍｐＲａｔｔｉ）を下げるために前記ＣＲＭと連通する少なくとも１つの音声減衰器［１５２］とを備え、
複数の音声センサは、時間ｔｉにおけるフィードバック信号を前記ＣＲＭ（ＡｍｐＲａｔｔｉ）に提供するように構成され、前記ＣＲＭは、ＡｍｐＲａｔｔｉ＞ＡｍｐＲＱＶΔｔである場合に、ＡｍｐＲａｔｔｉ＜ＡｍｐＲａｔＱＶΔｔで動作するように、前記音声減衰器に命令するように構成され、前記ＳＡＭ、前記保育器またはその両方は、ＭＲＩ安全材料から作成される、騒音減衰新生児保育器（ＮＡＮＩ）。
【請求項２】
前記センサ［１６０］は、少なくとも１つのインジケータ、少なくとも１つのユーザインターフェース、少なくとも１つの警報システム、少なくとも１つのＣＰＵ、およびそれらのあらゆる組合せからなる群から選択されたものとさらに連通する、請求項１に記載のＮＡＮＩ。
【請求項３】
前記ＣＲＭ［１６２］は、少なくとも１つのセンサの手段によって受信されたパラメータ、ユーザインターフェースを通して入力されたパラメータ、新生児医療デバイスから受信されたパラメータ、およびそれらのあらゆる組合せからなる群から選択された１以上のパラメータに従って前記音声減衰器［１６０］を制御するように構成される、請求項１に記載のＮＡＮＩ。
【請求項４】
前記音声減衰器［１６０］は、少なくとも１つの音響音声スピーカ［１５２］により、少なくとも１つの音響音声信号を発するように構成された、能動的音声マスキングシステムを備える、請求項１に記載のＮＡＮＩ。
【請求項５】
前記少なくとも１つの音響音声信号は、任意の色の騒音、及びそれらの組合せからなる群から選択される、請求項４に記載のＮＡＮＩ。
【請求項６】
前記音声減衰器［１５２］は、少なくとも１つの変換器［１６８］、少なくとも１つのスピーカ、およびそれらのあらゆる組合せからなる群から選択されたデバイスによって発生された相殺干渉により前記騒音を削除するまたは低減するように構成された、反応音響デバイスを備える、請求項１に記載のＮＡＮＩ。
【請求項７】
前記ＳＡＭ［１５０］は、背景騒音から少なくとも１つの既定の音声を区別し、前記背景騒音、前記少なくとも１つの既定の騒音、およびそれらのあらゆる組合せからなる群から選択された騒音を減衰するように構成される、請求項１に記載のＮＡＮＩ。
【請求項８】
前記ＣＲＭ［１６２］は、音声レベル、音調、倍音成分、残響、音声周波数、音声波長、音波振幅、音波速度、音波方向、音波エネルギー、音波位相、音波形状、音波エンベロープ、音声音色、およびそれらのあらゆる組合せからなる群から選択された少なくとも１つの音声特徴を記憶するように構成される、請求項１に記載のＮＡＮＩ。
【請求項９】
前記ＳＡＭ［１５０］は既定の音声特徴における前記騒音を減衰するように構成される、請求項１に記載のＮＡＮＩ。
【請求項１０】
前記ＳＡＭ［１５０］は、前記音声レベルを低減する、音声反射を低減する、音声残響を低減する、音声拡散を生成する、音声をマスキングする、音声を削除する、前記音声署名を変更する、およびそれらのあらゆる組合せからなる群から選択されたものにより前記騒音を低減するように構成される、請求項１に記載のＮＡＮＩ。
【請求項１１】
前記ＳＡＭは、音声レベル、音調、倍音成分、残響、音声周波数、音声波長、音波振幅、音波速度、音波方向、音波エネルギー、音波位相、音波形状、音波エンベロープ、音声音色、およびそれらのあらゆる組合せからなる群から選択された少なくとも１つの音声特徴を変更するように構成され、それによって異なる音声署名を発生する、請求項１に記載のＮＡＮＩ。
【請求項１２】
前記音声署名は、前記ユーザによって構成可能である、既定される、前記新生児の生命パラメータを基準に自動的に調節可能である、およびそれらのあらゆる組合せからなる群から選択される、請求項１１に記載のＮＡＮＩ。
【請求項１３】
前記ＳＡＭ［１５０］は、能動的音声減衰手段［１５２］、受動的音声減衰手段［１１０］、ハイブリッド音声減衰手段、およびそれらのあらゆる組合せからなる群から選択された少なくとも１つの手段を備える、請求項１に記載のＮＡＮＩ。
【請求項１４】
前記少なくとも１つの受動的音声減衰手段［１１０］は、少なくとも１つの音声吸収材料、少なくとも１つの共鳴器［１８５］、少なくとも１つの音声遮蔽板［１８０］、少なくとも１つのベーストラップ、少なくとも１つの音声反射板、少なくとも１つの拡散器［１７０］、少なくとも１つの絶縁パッド、少なくとも１つの音声反射器、少なくとも１つの音声抑制器（ＳＭ）［１５１ａ，１５１ｂ］、およびそれらのあらゆる組合せからなる群から選択される、請求項１３に記載のＮＡＮＩ。
【請求項１５】
前記ＳＡＭは、少なくとも１つの長さ（ｌ）および少なくとも１つの幅（ｗ）を有する、少なくとも１つのシリンダ導管を備える少なくとも１つの音声抑制器（ＳＭ）［１５１ａ，１５１ｂ］を備え、前記シリンダは少なくとも１つの空気入口［１７５］および少なくとも１つの空気出口を備え、さらに前記ＳＭは、少なくとも１つの空気出口から出る音声が少なくとも１つの空気入口に入る音声と異なる音声署名からなるように構成される、請求項１４に記載のＮＡＮＩ。
【請求項１６】
前記ＳＭは、その間に結合された少なくとも第１のシリンダおよび少なくとも第２のシリンダを備え、前記結合部はその間に流体連通できるように構成された少なくとも１つの開口を備える、請求項１５に記載のＮＡＮＩ。
【請求項１７】
前記少なくとも１つのシリンダの幅（ｗ）は、長さ（ｌ）に沿って等しい、前記長さ（ｌ）に沿って異なる幅（ｗ）からなる群から選択される、請求項１５に記載のＮＡＮＩ。
【請求項１８】
前記ＳＭは、（ｌ）１＝（ｌ）ｎ、（ｌ）１＞（ｌ）ｎ、（ｌ）１＜（ｌ）ｎ、（ｌ）１≠（ｌ）ｎ、（ｗ）１＝（ｗ）ｎ、（ｗ）１＞（ｗ）ｎ、（ｗ）１＜（ｗ）ｎ、（ｗ）１≠（ｗ）ｎからなる群から選択された、前記それぞれのシリンダの前記長さ（ｌ）１〜…ｎおよび前記幅（ｗ）１〜…ｎを有する複数のｎ個のシリンダを備える、請求項１５に記載のＮＡＮＩ。
【請求項１９】
前記ＳＡＭは、少なくとも１つの絶縁材料［１８０］、少なくとも１つの封止材料、少なくとも１つの音声吸収材料、少なくとも１つの振動吸収材料、およびそれらのあらゆる組合せからなる群から選択された材料の少なくとも一部を備える、少なくとも１つの音声遮蔽板を備える、請求項１に記載のＮＡＮＩ。
【請求項２０】
前記ＳＡＭは前記保育器に可逆的に取付け可能なモジュラー要素である、請求項１に記載のＮＡＮＩ。
【請求項２１】
前記保育器は、導管を通過する前記音声を抑制するように構成された少なくとも１つのＳＡＭを有する、少なくとも１つの前記導管をさらに備える、請求項１に記載のＮＡＮＩ。
【請求項２２】
前記保育器は、音声レベルセンサ、音声周波数センサ、音声方向センサ、音声振幅センサ、音調センサ、音声速度センサ、前記新生児の生命パラメータを検知するように構成されたセンサ、およびそれらのあらゆる組合せからなる群から選択された少なくとも１つのセンサをさらに備える、請求項１に記載のＮＡＮＩ。
【請求項２３】
前記ＳＡＭは、吸収材料、音声反射板、音声拡散器、能動的音声削除デバイスおよびそれらのあらゆる組合せからなる群から選択された少なくとも１つにより、前記内部容積内の音声の残響、音声の反射、またはその両方を低減するように構成される、請求項１に記載のＮＡＮＩ。
【請求項２４】
前記ＮＡＮＩは、空気が入るかつ／または出るように構成された少なくとも１の空気入口［１７５］、空気出口、またはその両方をさらに備え、さらに前記少なくとも１の空気入口［１７５］、空気出口、またはその両方は少なくとも１つのＳＡＭをさらに備える、請求項１に記載のＮＡＮＩ。
【請求項２５】
前記ＮＡＮＩは、少なくとも１つの支柱［４００］により前記保育器に相互連結された、可動基部［５００］を備えるカート内に少なくとも一時的に収容される、請求項１に記載のＮＡＮＩ。
【請求項２６】
前記カートは少なくとも１つのＳＡＭをさらに備える、請求項２５に記載のＮＡＮＩ。
【請求項２７】
前記ＳＡＭは、前記保育器、前記カート基部［５００］、前記支柱［４００］、およびそれらのあらゆる組合せからなる群から選択されたものに連結される、請求項２６に記載のＮＡＮＩ。
【手続補正２】
【補正対象書類名】明細書
【補正対象項目名】００７０
【補正方法】変更
【補正の内容】
【００７０】
用語「ＡｍｐＲａｔｔｉ」は、空気中の基準圧力２０マイクロパスカルおよび水中の基準圧力１マイクロパスカルに対して、音圧の基準振幅に対する時間ｔｉにおいて特定点で測定された音声振幅率の値と交換可能に本明細書で指す。周波数の単位はヘルツ（Ｈｚ）であり、１Ｈｚは事象が１秒当たり１回繰り返すことを意味する。通常Ｔで表される期間は１循環の持続時間であり、周波数ｆの逆数であり、すなわち以下のように表される。
【数３】
2016534835.tif 000031
【国際調査報告】
2016534835.tif 000032
2016534835.tif 000033
2016534835.tif 000034
2016534835.tif 000035
2016534835.tif 000036
2016534835.tif 000037